(57)【要約】【課題】１個の本体部ながら、肌面に対して電気刺激を付与しながら擦り刺激を付与できる小型電気器具を提供する。【解決手段】肌面に電流を供給する肌電極６５・１３０に隣接して全方位に転動可能なボール７７・１１４・１４１が設けられている。ボール７７・１４１が、肌電極６５・１３０の周囲を囲繞するように複数個設けられている。各ボール７７・１４１は、各ボール７７・１４１を直線で繋いだとき正多角形を構成するように配設されている。【選択図】図３０
2018183634.tif 000002
【特許請求の範囲】
【請求項１】
肌面に電流を供給する肌電極（６５・１３０）に隣接して全方位に転動可能なボール（７７・１１４・１４１）が設けられていることを特徴とする小型電気器具。
【請求項２】
ボール（７７・１４１）は、肌電極（６５・１３０）の周囲を囲繞するように複数個設けられていることを特徴とする請求項１に記載の小型電気器具。
【請求項３】
ボール（７７・１４１）は、肌電極（６５・１３０）の周囲を囲繞するように複数個設けられており、
各ボール（７７・１４１）は、各ボール（７７・１４１）を直線で繋いだとき正多角形を構成するように配設されていることを特徴とする請求項２に記載の小型電気器具。
【請求項４】
肌電極（６５・１３０）の表面を覆う含浸体（Ｃ）を保持することが可能な固定具を備えており、
上記固定具に、ボール（７７・１４１）が設けられていることを特徴とする請求項１から３のいずれかひとつに記載の小型電気器具。
【請求項５】
上記固定具は、肌電極（１３０）を有するグリップ兼用の本体ケース（１２１）に対して揺動開閉可能に設けられていることを特徴とする請求項４に記載の小型電気器具。
【発明の詳細な説明】
【技術分野】
【０００１】
本発明は、肌面に電流を供給できる小型電気器具に関する。
【背景技術】
【０００２】
本出願人は、肌に冷熱刺激を付与する美容器具を先に提案している（特許文献１）。そこでは、本体ケースの上部に肌面を冷却するためのヘッド部を備えている。ヘッド部には、ペルチェ素子と、同素子の周囲を保持する熱絶縁体と、ペルチェ素子を間にして冷熱面側に密着配置される冷熱ブロックと、温熱面側に密着配置される温熱ブロックと、これらの部材を支持する冷却部ホルダーと、温熱ブロックに密着配置されるヒートシンクなどが設けてある。これらの構成部材のうち、冷熱ブロック、ペルチェ素子、熱絶縁体、温熱ブロックと、冷却部ホルダーは、冷熱ブロックにねじ込んだビスで一体化されてユニット部品化されており、冷却部ホルダーを本体ケースの前ケースにビスで締結することにより、先のユニットが本体ケースと一体化してある。また、ヒートシンクは、温熱ブロックにねじ込まれたビスで同ブロックに固定してある。冷却部ホルダーの外面は、第１電極を兼ねる接触板で覆われており、本体ケースの左右両側には第２電極が設けてある。
【０００３】
上記の美容器具は、第１、第２、第３、第４の各モードに切換えて使用することができる。第１モードにおいては、化粧水が含浸された綿マットで接触板の外面を覆い、第１・第２の両電極に電圧を印加した状態で、綿マットを顔肌にあてがうことにより電気刺激を与えて、イオン導出作用によって微細な汚れを落とすことができる。このとき、第１電極はプラス極性、第２電極はマイナス極性とする。第２モードにおいては、第１電極と第２電極に極性の異なる電圧を交互に印加し、本体ケース内のバイブレーターを駆動した状態で、接触板を肌面にあてがうことにより、肌をほぐすことができる。第３モードにおいては、化粧水が含浸された綿マットで接触板の外面を覆い、第１電極をマイナス極性、第２電極をプラス極性とした電圧を印加した状態で、綿マットを顔肌にあてがうことにより電気刺激を与えて、イオン導入作用によって保湿成分を肌に浸透させることができる。第４モードにおいては、ペルチェ素子を作動させて接触板を冷却し、冷却された接触板を肌面にあてがって冷却することができる。
【０００４】
球体によりマッサージを行う器具は特許文献２に公知である。具体的には、台座に中空状の複数の固定部を設け、その内部に複数の球体を設置してふたで塞ぐことで球体を台座に対して自由回転可能に構成している。
【先行技術文献】
【特許文献】
【０００５】
【特許文献１】特開２０１２−６１２５１号公報
【特許文献２】特開２００８−５５０２６号公報
【発明の概要】
【発明が解決しようとする課題】
【０００６】
特許文献１の器具は、電気刺激を肌面に付与できるが、これとは別に擦り刺激を肌面に付与することができない。
【０００７】
一方、特許文献２の器具は、球体による擦り刺激を付与できるが、これとは別に電気刺激を肌面に付与することができない。
【０００８】
本発明の目的は、１個の本体部ながら、肌面に対して電気刺激を付与しながら擦り刺激を付与できる小型電気器具を提供することにある。
【課題を解決するための手段】
【０００９】
本発明に係る小型電気器具は、肌面に電流を供給する肌電極６５・１３０に隣接して全方位に転動可能なボール７７・１１４・１４１が設けられていることを特徴とする。
【００１０】
また、本発明の小型電気器具は、ボール７７・１４１が、肌電極６５・１３０の周囲を囲繞するように複数個設けられていることを特徴とする。
【００１１】
また、本発明の小型電気器具は、ボール７７・１４１が、肌電極６５・１３０の周囲を囲繞するように複数個設けられている。各ボール７７・１４１は、各ボール７７・１４１を直線で繋いだとき正多角形を構成するように配設されていることを特徴とする。
【００１２】
また、本発明の小型電気器具は、肌電極６５・１３０の表面を覆う含浸体Ｃを保持することが可能な固定具を備えている。上記固定具に、ボール７７・１４１が設けられていることを特徴とする。
【００１３】
また、本発明の小型電気器具は、上記固定具が、肌電極１３０を有するグリップ兼用の本体ケース１２１に対して揺動開閉可能に設けられていることを特徴とする。
【００１４】
図１４に示すように、小型電気器具は、本体ケース１に機能ヘッド１５を有している。機能ヘッド１５または同ヘッド１５を支持する本体ケース１に装着部５０が設けられている。肌面に擦り刺激を付与する刺激付与具Ｂが装着部５０に設けられていることを特徴とする。刺激付与具Ｂは機能ヘッド１５とは別の構造体で装着部５０に設けられている。
【００１５】
刺激付与具Ｂが、装着部５０に装着される連結部７５と、肌面に擦り刺激を付与する擦り体７７を備えている。機能ヘッド１５と擦り体７７を肌面に同時に作用させる。
【００１６】
刺激付与具Ｂが、連結部７５と、連結部７５と一体に設けた擦り体ホルダー７６と、擦り体ホルダー７６で回転自在に支持した少なくとも１個の球状の擦り体７７を備えている。擦り体７７が肌面に沿って回転しながら擦り刺激を付与する。
【００１７】
擦り体７７が、擦り体７７から連結部７５に至る間に設けたフロート構造で、本体ケース１に対してフロート可能に支持してある。
【００１８】
図１８に示すように、擦り体ホルダー７６は、擦り体ホルダー７６と連結部７５との間に設けたフロート構造で支持されている。これにより擦り体ホルダー７６は、擦り体７７をフロートさせることができる。
【００１９】
フロート構造が、擦り体ホルダー７６と連結部７５との間に設けた可撓体９０を含んで構成されている（図１８、図１９参照）。これにより擦り体ホルダー７６は、擦り体７７をフロートさせることができる。
【００２０】
刺激付与具Ｂが、複数の擦り体７７および擦り体ホルダー７６を備えている。一つの擦り体７７が肌反力を受けてフロート移動するとき、残る擦り体７７が先の擦り体７７とは逆向きにフロート移動する（図２１参照）。
【００２１】
図２３に示すようにフロート構造は、連結部７５の周囲を囲むフロート枠９６と、連結部７５とフロート枠９６との間に配置されて、フロート枠９６を中立位置へ復帰付勢する複数のフロートばね９０を備えている。中立位置におけるフロート枠９６は、連結部７５に設けた枠支持壁１０１で支持されている。フロート枠９６に複数個の擦り体７７および擦り体ホルダー７６が設けてある。
【００２２】
フロート構造が、連結部７５の周囲を囲むフロート枠９６と、連結部７５に装着されてフロート枠９６を傾動可能に支持するフロート軸９９を備えている。フロート枠９６に複数個の擦り体７７および擦り体ホルダー７６が設けてある。
【００２３】
機能ヘッド１５が、肌面に温熱刺激または冷熱刺激を付与できる熱刺激ヘッド１５となっている。熱刺激ヘッド１５を擦り体７７の温度より高い温度に加熱した状態、あるいは熱刺激ヘッド１５を擦り体７７の温度より低い温度に冷却した状態で、熱刺激ヘッド１５と擦り体７７を肌面に同時に作用させて、肌面に熱刺激と擦り刺激を同時に付与する。
【００２４】
擦り体７７が擦り体ホルダー７６内に設けられたフロートばね９０で弾性支持してある。
【００２５】
擦り体７７は擦り体ホルダー７６で回転自在に支持した球体からなる。機能ヘッド１５と擦り体７７を肌面に同時に作用させた状態において、機能ヘッド１５で強い擦り刺激を付与し、擦り体７７で弱い擦り刺激を付与する。
【００２６】
擦り体７７の頂部を通る第１仮想平面Ｈ１が、機能ヘッド１５の頂部を通るヘッド仮想平面Ｈより上側に位置させてある。
【００２７】
擦り体７７が擦り体ホルダー７６で上下フロート可能に支持されて、フロートばね９０で押上げ付勢されている。擦り体７７はフロートばね９０で押上げられた待機位置と、フロートばね９０の付勢力に抗して押下げられたフロート位置との間で上下フロートできる。フロート位置において、擦り体７７の頂部を通る第２仮想平面Ｈ２が、熱刺激ヘッド１５の頂部を通るヘッド仮想平面Ｈと同じかこれより下側に位置させてある。
【００２８】
機能ヘッド１５の肌接触面２５の面積が、平面視における１個の擦り体７７の面積より大きく設定してある。
【００２９】
球体からなる複数の擦り体７７が擦り体ホルダー７６で回転自在に支持してある。
【００３０】
平面視における１個の擦り体７７の面積は機能ヘッド１５の肌接触面２５の面積より小さいが、平面視における複数個の擦り体７７の合計面積が、機能ヘッド１５の肌接触面２５の面積より大きく設定してある。
【００３１】
上突湾曲状に形成した機能ヘッド１５の肌接触面２５の曲率と、球体からなる擦り体７７の曲率を比較するとき、前者曲率が後者曲率より小さく設定され、後者曲率が前者曲率より大きく設定してある。
【００３２】
擦り体７７が擦り体ホルダー７６で回転自在に支持されている。擦り体ホルダー７６に一体で、かつ擦り体ホルダー７６の底に設けた複数の受腕８７で擦り体７７が受止められている。これにより擦り体７７を複数の受腕８７で弾性支持している。
【００３３】
擦り体７７が擦り体ホルダー７６で回転自在に支持されている。擦り体ホルダー７６の底に設けた複数の受腕８７で擦り体７７を受止めて、擦り体７７の周面が擦り体ホルダー７６の底面側に露出させてある。
【００３４】
刺激付与具Ｂの連結部７５を装着部５０に装着した状態において、擦り体ホルダー７６の底面と本体ケース１との間に通水空間Ｓが確保してある。
【００３５】
刺激付与具Ｂの連結部７５が複数の連結脚７９で構成されて、周方向へ隣接する連結脚７９の間に通水開口が設けてある。
【００３６】
機能ヘッド１５が、肌面に電流を供給する肌電極６５となっている。装着部５０に装着した刺激付与具Ｂで、肌電極６５の外面を覆う含浸体Ｃを固定している。
【発明の効果】
【００３７】
本発明の小型電気器具によれば、肌面に電流を供給する肌電極６５・１３０に隣接して全方位に転動可能なボール７７・１１４・１４１が設けられていることにより、肌面に対して電気刺激を付与しながら擦り刺激を付与できる。また、肌面に対する肌電極６５・１３０の移動がボール７７・１１４・１４１によって容易となる。
【００３８】
また、本発明の小型電気器具によれば、ボール７７・１４１が、肌電極６５・１３０の周囲を囲繞するように複数個設けられていることにより、肌面に対して電気刺激を付与しながら擦り刺激を付与できる。また、肌面に対する肌電極６５・１３０の全方位への移動がボール７７・１１４・１４１によって容易となる。
【００３９】
また、本発明の小型電気器具によれば、ボール７７・１４１が、肌電極６５・１３０の周囲を囲繞するように複数個設けられており、各ボール７７・１４１は、各ボール７７・１４１を直線で繋いだとき正多角形を構成するように配設されていることにより、肌面に対して電気刺激を付与しながら擦り刺激を付与できる。また、肌面に対する肌電極６５・１３０の全方位への移動がボール７７・１１４・１４１によってさらに容易となるとともに、肌電極６５・１３０を肌面に対して不適切な傾動を伴うことなく接触できる。
【００４０】
また、本発明の小型電気器具によれば、肌電極６５・１３０の表面を覆う含浸体Ｃを保持することが可能な固定具を備えており、上記固定具に、ボール７７・１４１が設けられていることにより、含浸体Ｃを固定する固定具を別途用意する必要がなく肌電極６５・１３０周りの構成を簡素化できる。したがって、肌電極６５・１３０周りをコンパクト化でき、使い勝手を向上できる。
【００４１】
また、本発明の小型電気器具によれば、上記固定具が、肌電極１３０を有するグリップ兼用の本体ケース１２１に対して揺動開閉可能に設けられていることにより、含浸体Ｃを固定する固定具を別途用意する必要がなく肌電極１３０周りの構成を簡素化できる。したがって、肌電極１３０周りをコンパクト化でき、使い勝手を向上できる。
【００４２】
小型電気器具においては、肌面に擦り刺激を付与する刺激付与具Ｂが装着部５０に設けられていることにより、機能ヘッド１５の作用とは別に肌面に擦り刺激を付与できる。「刺激付与具Ｂが装着部５０に設けられている」とは、刺激付与具Ｂが装着部５０に分離不能に固定されている構成を含むものであるが、例えば、機能ヘッド１５または同ヘッド１５を支持するケース体（本体ケース１の一部）を装着部５０としてこれに刺激付与具Ｂを着脱可能に装着する構成であれば、刺激付与具Ｂを本体ケース１に対して安定した状態で連結できる。これは、他の部位に比べて剛性の高い機能ヘッド１５、あるいは同ヘッド１５を支持するケース体に装着部５０を設けることにより、装着部５０の構造強度を強化し、同部５０に装着した刺激付与具Ｂを強固に支持できるからである。機能ヘッド１５が剛性の高い理由として、肌面に対して直接当てられて応力がかかる部位であるためその肉厚を厚くしている、或いは、機能向上のため金属製の材質を採用しているからである。必然的にそれを支持するケース体（本体ケース１の一部）も剛性が高い。
【００４３】
刺激付与具Ｂに擦り体７７が設けてあると、機能ヘッド１５と擦り体７７を肌面に同時に作用させた状態で擦り移動することにより、肌面に対して機能ヘッド１５の作用と擦り刺激を同時に付与できる。例えば、機能ヘッド１５で肌面を温めながら擦り体７７で擦り刺激を付与する状態では、温熱刺激よって血行を促進しながら、肌面に物理的な刺激を付与できる。また、機能ヘッド１５で肌面に冷熱を与えながら擦り体７７で擦り刺激を付与する状態では、冷熱刺激によって顔肌を引締めながら、肌面に物理的な刺激を付与できる。
【００４４】
連結部７５、および擦り体ホルダー７６と、同ホルダー７６で回転自在に支持した球状の擦り体７７で構成した刺激付与具Ｂによれば、擦り体７７が肌面に沿って回転（転動）することで擦り刺激を付与できる。従って、擦り体７７の肌面に対するタッチ（接触感）をソフトで優しいものとして、より繊細な擦り刺激を肌面に付与でき、外部刺激に敏感で繊細な肌面であっても優しくマッサージすることができる。なお、「回転自在に支持した少なくとも１個の球状の擦り体７７」とは、全方位に転動するボールだけを意味するのではなく、肌接触面が半球状となるように丸められた軸体が、その軸体の軸まわりに回転自在に擦り体ホルダーに支持された構造であってもよい。好ましくは、全方位に転動するボールの方が肌面に対するタッチ（接触感）を、よりソフトで優しいものとして、より繊細な擦り刺激を肌面に付与できるので、発明を実施するための形態では、ボール構造を具体例として挙げている。
【００４５】
擦り体７７が、擦り体７７から連結部７５に至る間に設けたフロート構造で、本体ケース１に対してフロート可能に支持してあると、擦り体７７がフロートすることで、擦り体７７による擦り刺激が肌面に対して過剰に作用するのを防止して、擦り体７７の肌面に対するタッチ（接触感）をさらにソフトで優しいものとすることができる。また、立体的な肌面の変化に追随して擦り体７７がフロートするので、擦り体７７による擦り刺激を肌面に対して効果的に付与できる。
【００４６】
擦り体ホルダー７６は、擦り体ホルダー７６と連結部７５との間に設けたフロート構造で支持されていると、擦り体７７のみがフロートする場合に比べて、フロート構造を設計する際の構造の自由度や、フロート時の変位量、あるいは変位に伴う弾性変形力などの設計の自由度を拡大して、フロート構造の最適化を促進できる。
【００４７】
擦り体ホルダー７６と連結部７５との間に設けた可撓体９０を含むフロート構造によれば、フロート構造を簡素化して刺激付与具Ｂの製造コストを低コスト化できる。これは、擦り体ホルダー７６の支持構造の少なくとも一部を可撓体９０が兼ねるので、可撓体９０を含む支持構造が複雑化するのを避けてフロート構造を簡素化し、その分だけ刺激付与具Ｂの構成部品を最小限化できるからである。
【００４８】
複数の擦り体７７および擦り体ホルダー７６を備える刺激付与具Ｂにおいて、一つの擦り体７７がフロート移動するとき、残る擦り体７７を逆向きにフロート移動させると、一方の擦り体７７が沈み込んだ分だけ他方の擦り体７７が浮き上がって肌面を押圧できるので、起伏の大きい肌面でも適切に擦り刺激を付与できる。
【００４９】
連結部７５の周囲を囲むフロート枠９６と、フロート枠９６を中立位置へ復帰付勢する複数のフロートばね９０を備えたフロート構造は、フロート枠９６を連結部７５の周りの全方位方向へフロート移動させることができる。このようなフロート構造を備えた刺激付与具Ｂにおいて、フロート枠９６に複数個の擦り体７７および擦り体ホルダー７６が設けてあると、フロート枠９６が傾動するときの支点位置が複雑に変化するので、擦り体７７傾動軌跡を複雑に変化させることができる。従って、擦り体７７の肌面に対するあてがい方の違いでフロート枠９６の移動態様を様々に変化させて、擦り刺激の強弱の度合いや、擦り刺激が付与される部位の変化を多様化し、多様な擦り刺激を付与できる。また、起伏の大きい肌面でも適切に擦り刺激を付与できる。
【００５０】
フロート枠９６をフロート軸９９で上下傾動可能に支持するフロート構造において、フロート枠９６に複数個の擦り体７７および擦り体ホルダー７６を設けると、一つの擦り体７７がフロート傾動するとき、残る擦り体７７を逆向きにフロート傾動できる。換言すると、フロート枠９６をシーソー状にフロート傾動させて、肌面に作用する擦り刺激を多様化できる。従って、一つの擦り体７７のみで肌面に擦り刺激を付与する状態と、複数の擦り体７７で肌面に擦り刺激を付与する状態を選択することにより、肌面の部位の違いや肌状態の違いに応じて、あるいはユーザーの好みに応じて異なる擦り刺激を付与できる。また、起伏の大きい肌面でも適切に擦り刺激を付与できる。
【００５１】
熱刺激ヘッド１５を擦り体７７の温度より高い温度に加熱した状態、あるいは熱刺激ヘッド１５を擦り体７７の温度より低い温度に冷却した状態で、熱刺激ヘッド１５と擦り体７７を肌面に同時に作用させて、肌面に熱刺激と擦り刺激を同時に付与すると、肌面の血行を促進しながら物理的な刺激を付与できる、あるいは、肌面を引締めながら物理的な刺激を付与できる。
【００５２】
擦り体７７が擦り体ホルダー７６内に設けられたフロートばね９０で弾性支持してあると、弱いばね力で擦り体７７を弾性支持できるので、擦り体７７の肌面に対するタッチ（接触感）をさらにソフトで優しいものとすることができる。
【００５３】
機能ヘッド１５と擦り体７７を肌面に同時に作用させた状態において、機能ヘッド１５で強い擦り刺激を付与し、擦り体７７で弱い擦り刺激を付与すると、肌面の部位の違いや肌状態の違いに応じて、機能ヘッド１５と擦り体７７を使い分けることにより、ユーザーの好みに応じた擦り刺激を肌面に付与できる。
【００５４】
擦り体７７の頂部を通る第１仮想平面Ｈ１が、機能ヘッド１５の頂部を通るヘッド仮想平面Ｈより上側に位置させてあると、第１仮想平面Ｈ１とヘッド仮想平面Ｈが面一になった状態でのみ、機能ヘッド１５による作用と擦り体７７による擦り刺激を肌面に同時に作用させることができる。このとき、擦り体７７にはフロートばね９０のばね力が作用しているので、擦り体７７を肌面に確実に密着させて、擦り体７７が転動するときの擦り刺激を肌面に付与できる。
【００５５】
フロート位置において、擦り体７７の頂部を通る第２仮想平面Ｈ２が、機能ヘッド１５の頂部を通るヘッド仮想平面Ｈと同じかこれより下側に位置させてあると、擦り体７７が肌面に過剰に押付けられるのを防止して、擦り体７７の肌面に対するタッチをソフトで優しいものとして、より繊細な擦り刺激を肌面に付与できる。
【００５６】
機能ヘッド１５の肌接触面２５の面積が、平面視における１個の擦り体７７の面積より大きく設定してあると、面積の大きな肌接触面２５で肌面に機能ヘッド１５による機能を作用させながら、面積の小さな擦り体７７で肌面に擦り刺激を与えることができる。こうした小型電気器具によれば、主として肌面に機能ヘッド１５による機能を作用させることができる。擦り体７７による擦り刺激は付随的となる。
【００５７】
球体（ボール）からなる複数の擦り体７７が擦り体ホルダー７６で回転自在に支持してあると、擦り体７７の肌面に対するタッチ（接触感）をソフトで優しいものとして、より繊細な擦り刺激を肌面に付与でき、外部刺激に敏感で繊細な肌面であっても優しくマッサージすることができる。
【００５８】
平面視における１個の擦り体７７の面積は機能ヘッド１５の肌接触面２５の面積より小さいが、平面視における複数個の擦り体７７の合計面積が、機能ヘッド１５の肌接触面２５の面積より大きく設定してあると、機能ヘッド１５の作用と擦り刺激を肌面に同時に作用させる際に、主として肌面に擦り刺激を付与できる。同時に機能ヘッド１５による機能を作用させることができる。
【００５９】
上突湾曲状に形成した機能ヘッド１５の肌接触面２５の曲率と、球体からなる擦り体７７の曲率を比較するとき、前者曲率が後者曲率より小さく設定され、後者曲率が前者曲率より大きく設定してあると、肌接触面２５と肌面の接触機会を、擦り体７７と肌面の接触機会より多くして、肌接触面２５による作用を肌面に対して的確に付与できる。
【００６０】
擦り体７７を、擦り体ホルダー７６に一体で、かつ擦り体ホルダー７６の底に設けた複数の受腕８７で弾性支持していると、低コストで支持構造を構成することができる。
【００６１】
擦り体ホルダー７６の底に設けた複数の受腕８７で擦り体７７を受止めて、擦り体７７の底面側の周面が擦り体ホルダー７６の底面側に露出させてあると、刺激付与具Ｂを洗浄するときの洗浄液の排出を円滑化できる。また、洗浄時には、擦り体７７の上周面、あるいは擦り体ホルダー７６の底面側から洗浄水を流し掛けながら洗浄できるので、擦り体７７の表面全体を余すところなく確実に洗浄できる。
【００６２】
刺激付与具Ｂの連結部７５を装着部５０に装着した状態において、擦り体ホルダー７６の底面と本体ケース１との間に通水空間Ｓが確保してあると、擦り体７７および擦り体ホルダー７６から流れ落ちた洗浄水を、通水空間Ｓから確実に排水できる。また、洗浄後の擦り体７７および擦り体ホルダー７６の風通しを良くして乾燥を促進できる。
【００６３】
刺激付与具Ｂの連結部７５が複数の連結脚７９で構成されて、周方向へ隣接する連結脚７９の間に通水開口が設けてあると、連結脚７９および装着部５０に沿って洗浄水を速やかに流下させて、洗浄水が連結脚７９や装着部５０の周辺部分に滞留するのを防止できる。
【００６４】
装着部５０に装着した刺激付与具Ｂで、肌電極６５の外面を覆う含浸体Ｃを押圧固定していると、含浸体Ｃを固定する固定具を別途用意する必要がなく肌電極６５周りの構成を簡素化できる。したがって、肌電極６５周りをコンパクト化でき、使い勝手を向上できる。
【図面の簡単な説明】
【００６５】
【図１】本発明の実施例１に係る小型電気器具の要部の断面図である。
【図２】実施例１に係る美容器具の正面図である。
【図３】実施例１に係る美容器具の側面図である。
【図４】図１におけるＪ−Ｊ線断面図である。
【図５】実施例１に係る発熱ユニットの分解斜視図である。
【図６】実施例１に係る発熱ユニットの分解側面図である。
【図７】図１におけるＤ−Ｄ線断面図である。
【図８】図１におけるＥ−Ｅ線断面図である。
【図９】図１におけるＦ−Ｆ線断面図である。
【図１０】図１におけるＧ−Ｇ線断面図である。
【図１１】電気刺激用の電極と制御基板の接続状態の概略を示す説明図である。
【図１２】刺激付与具の縦断側面図である。
【図１３】刺激付与具の平面図である。
【図１４】本体部に含浸体と刺激付与具を装着した状態の縦断側面図である。
【図１５】実施例２に係る小型電気器具本体および刺激付与具の平面図である。
【図１６】図１５におけるＫ−Ｋ線断面図である。
【図１７】実施例３に係る小型電気器具本体および刺激付与具の平面図である。
【図１８】図１７におけるＬ−Ｌ線断面図である。
【図１９】実施例４に係る刺激付与具の断面図である。
【図２０】実施例５に係る小型電気器具本体および刺激付与具の平面図である。
【図２１】実施例５に係る刺激付与具の一部破断側面図である。
【図２２】実施例６に係る小型電気器具本体および刺激付与具の平面図である。
【図２３】図２２におけるＭ−Ｍ線断面図である。
【図２４】実施例７に係る小型電気器具本体および刺激付与具の一部破断側面図である。
【図２５】実施例８に係る小型電気器具本体および刺激付与具の平面図である。
【図２６】図２５におけるＮ−Ｎ線断面図である。
【図２７】実施例９に係る小型電気器具本体および刺激付与具の平面図である。
【図２８】図２７におけるＯ−Ｏ線断面図である。
【図２９】実施例１０に係る小型電気器具の一部破断側面図である。
【図３０】図２９に係る小型電気器具の要部の正面図である。
【発明を実施するための形態】
【００６６】
（実施例１）  図１ないし図１４は、本発明に係る小型電気器具を美容器具に適用した実施例１を示す。本発明における前後・左右・上下とは、図２および図３に示す交差矢印と、矢印の近傍に表記した前後・左右・上下の表示に従う。図２および図３において美容器具は、熱刺激機能およびイオン導出とイオン導入機能を発揮する本体部Ａと、肌面に擦り刺激を付与する刺激付与具Ｂとを備えている。
【００６７】
本体部Ａは、グリップを兼ねる円柱状の本体ケース１を基本構造体にして、その上部に発熱ユニット（機能ユニット）２を配置して構成してある。本体ケース１の前面には、スイッチパネル３が設けてあり、同パネル３の上から順に、電源をオン・オフする電源ボタン４と、熱切換えボタン５と、イオン切換えボタン６と、各ボタン４〜６の切換え状態を表示する表示灯４ａ、５ａ、５ｂ、６ａ、６ｂが設けてある。また、本体ケース１の後面には、イオン導入あるいはイオン導出に関連する第２電極６６が設けてある。
【００６８】
本体ケース１は、ヘッドケース９と把持ケース８とを有し、把持ケース８はヘッドケース９を前後に挟持固定する前ケース１０および後ケース１１で構成してある。ヘッドケース９の内部には発熱ユニット２が組まれ、前ケース１０および後ケース１１の内部には２次電池１２と制御基板１３が組込んである。制御基板１３には、先の各ボタン４〜６に対応するスイッチ４ｃ、５ｃ、６ｃが設けてある。ヘッドケース９と把持ケース８を一体で形成して本体ケース１を構成したものであってもよい。
【００６９】
図１において、発熱ユニット２は、本体ケース１の外面に露出されて冷熱または温熱を肌面に作用させる熱刺激ヘッド（機能ヘッド）１５と、本体ケース１の内部に収容されるヒートシンク１６と、熱刺激ヘッド１５とヒートシンク１６との間に配置されるペルチェ素子（熱電変換素子）１７、およびペルチェ素子を保護するスペーサー１８などで構成する。
【００７０】
熱刺激ヘッド１５は、熱伝導性に優れたアルミニウム製のダイキャスト成型品からなり、その殆どを占めるヘッド軸２１と、ヘッド軸２１の下部周面に形成されるフランジ状の張出壁２２と、張出壁２２より下方へ突設される伝熱部２３を一体に備えている。つまり熱刺激ヘッド１５は金属製の剛性のある構造体からなる。ヘッド軸２１は、正三角形の各頂部が丸められた断面形状に形成してあり、軸内部に後述するサーミスタ５１を収容する穴２４が形成され、軸頂部に肌接触面２５が上突湾曲状に形成してある。ヘッド軸２１の下部に張出壁２２を設けておくことにより、熱刺激ヘッド１５の組付時に、張出壁２２をヘッドケース９に設けた組付座４４で受止め支持できるので、熱刺激ヘッド１５がぐら付くのを防止して確りと固定することができる。ヘッド軸２１の表面および肌接触面２５は、チタンコーティングまたはアルマイト処理が施されている。ヘッド軸２１については、コーティングやアルマイト処理など表面処理を行うのではなく、それ自身が、チタン製の金属で形成することができる。
【００７１】
図５において、ヒートシンク１６は、熱伝導性に優れたアルミニウム製のダイキャスト成型品からなり、直方体状のシンクブロック２７と、シンクブロック２７の後および下面に設けた多数個の放熱フィン２８と、シンクブロック２７の左右両側に設けた締結座２９と、シンクブロック２７の上面に設けた伝熱部３０および受熱台３１を一体に備えている。シンクブロック２７の前面の中央には、スペーサー１８を位置決めする上下方向の位置決め溝３２が形成してある。放熱フィン２８は、その下端が前後ケース１０・１１の内部に入りこむ状態でシンクブロック２７から下方へ大きく突設してあって、その合計の表面積を大きくすることにより、シンクブロック２７に伝導した温熱あるいは冷熱を効果的に放熱できる。締結座２９には上下貫通状のねじ挿通穴３３が形成され、その上端にトンネル断面形の係合凹部３４が凹み形成してある。伝熱部３０の平面視形状は、ヘッド軸２１の断面形状に一致させてあり、受熱台３１の平面視形状は、ペルチェ素子１７の外形形状より僅かに大きな四角形状に形成してある。
【００７２】
ペルチェ素子１７は、厚みが薄い直方体状の市販されている発熱モジュールからなり、その上面と下面にはシリコーン樹脂製の伝熱シート３５が配置してある。ペルチェ素子１７に直流の駆動電流を供給することにより、例えば素子上面側を発熱させ、素子下面から吸熱を行うことができ、駆動電流の極性を反転することにより、素子下面側を発熱させ、素子上面から吸熱を行うことができる。こうした運転モードの違いは、電源ボタン４をオン操作したのち、熱切換えボタン５を１回オン操作するか、２回オン操作するかで切換えることができる。
【００７３】
スペーサー１８は、ペルチェ素子１７の周囲を囲む四角枠状のプラスチック成型品からなり、その前面の中央に縦長の位置決めリブ３８が一体に設けてある。図１および図８に示すように、発熱ユニット２をヘッドケース９に組付けた状態においては、ペルチェ素子１７の周囲がスペーサー１８で密閉状に覆われる。そのため、例えばペルチェ素子１７で熱刺激ヘッド１５を加熱している状態から、ペルチェ素子１７の作動を停止すると、熱容量が大きな熱刺激ヘッド１５から伝導するフィードバック熱によって、ペルチェ素子１７が過熱するおそれがある。こうしたフィードバック熱を速やかに放出するために、四角枠状のスペーサー１８の隅部分の合計４個所に熱放出用の溝状の排熱開口３９を形成している。スペーサー１８の前壁に形成した溝は、ペルチェ素子１７から導出した給電リードを通すための溝であるが、この溝も排熱開口３９と同様に熱放出機能を発揮する。また、スペーサー１８の前壁を除く周囲壁と位置決めリブ３８の上面に突起４０を設け、スペーサー１８および位置決めリブ３８の上面が熱刺激ヘッド１５の下面に密着するのを防いで、熱刺激ヘッド１５の熱がスペーサー１８側へ伝導するのを抑止している。このような熱遮断をより効果的に行うために、スペーサー１８は熱伝導しにくいプラスチック材で形成することが好ましい。
【００７４】
ヘッドケース９は、断面形状がヘッド軸２１と相似状に形成してある上側のヘッド筒壁４２と、これよりひとまわり大きな下側の丸筒状の連結筒壁４３を備えた、段丘状のプラスチック成型品からなる。発熱ユニット２をより簡単な構造でヘッドケース９に組むために、ヘッド筒壁４２の上端に、熱刺激ヘッド１５の張出壁２２を受止める組付座４４が形成され、組付座４４の中央にヘッド開口４５が形成してある。また、連結筒壁４３の内面の左右に、シンクブロック２７を締結するためのねじボス４６が一体に形成してある。図９に示すようにねじボス４６の周囲５個所には、寸法誤差を吸収するための縦リブ４７が形成してある。ヘッド筒壁４２と連結筒壁４３の間には肩部４８が形成してあり、連結筒壁４３の下端には前後ケース１０・１１で挟持される連結溝４９が形成してある。発熱ユニット２をヘッドケース９に組付けた状態では、先の縦リブ４７が係合凹部３４と接当するので、ねじボス４６の周面が係合凹部３４の内周面に密着することはない。この実施例では、ヘッド筒壁４２が後述する刺激付与具Ｂを着脱するための装着部５０を兼ねるようにした。
【００７５】
先に説明したように、熱刺激ヘッド１５の内部の穴２４にはサーミスタ５１が配置してある。この実施例では、サーミスタ５１として、温度上昇に伴って抵抗値が減少するＮＴＣサーミスタを使用し、穴２４に嵌め込んだセンサーホルダー５２でサーミスタ５１を保持した（図７参照）。図４に示すように、シリコーン樹脂で形成したセンサーホルダー５２は、その下端が伝熱シート３５を介してペルチェ素子１７と密着しており、その周面が穴２４の内面に密着しているので、ペルチェ素子１７および熱刺激ヘッド１５の熱をサーミスタ５１に伝える熱伝導体として機能する。
【００７６】
把持ケース８を構成する前ケース１０および後ケース１１は、それぞれ本体ケース１のグリップ部分を構成する前後に分割された半割りケースからなり、両者の上端にヘッドケース９の連結溝４９と係合する半円状の連結リブ５４が形成してある。また、前ケース１０の内面の上下４個所には、後ケース１１を締結するためのケースねじボス５５が形成され、後ケース１１のケース壁の上下にはケースねじボス５５に対応して４個のねじ挿通穴５６が形成してある。前ケース１０の内面には制御基板１３と、充電器から導出された給電プラグを接続するためのソケット５７が組付けてある。符号５８はソケット５７に設けた接続ピンである。
【００７７】
図１に示すように、４個のケースねじボス５５のうち、上側の左右一対のケースねじボス５５には、ヒートシンク１６の傾動を規制する傾動規制体６０が外嵌する状態で装着してある。傾動規制体６０は、ゴム、シリコーン樹脂、弾性変形可能な多孔質樹脂などの弾性材を素材にしてトンネル断面状に形成してあり、その中央寄りにケースねじボス５５に外嵌する装着穴６１が設けてある。また、ヒートシンク１６の放熱フィン２８と正対する傾動規制体６０の周面には、平坦なフィン受面６２が設けてある。
【００７８】
イオン導出およびイオン導入の美容処理を行うために電気刺激構造を設けている。図１１において、電気刺激構造は肌面と接触する第１電極（肌電極）６５と、本体ケース１の後部に設けた第２電極（グリップ電極）６６と、これらの電極６５・６６に微弱なパルス電流を供給する制御回路などで構成する。この実施例では、熱刺激ヘッド１５を利用して第１電極６５とした。つまり熱刺激ヘッド１５が第１電極６５を兼ねている。図示していない制御回路は、制御基板１３に実装してあり、第１電極６５と第２電極６６のいずれか一方をプラス極性にし、他方をマイナス極性にしてパルス電流を供給する。第２電極６６は、チタン製の板をプレス加工して、握りやすい湾曲状に形成したものである。ここで電気刺激については、イオン導入、イオン導出以外に、イオン導入、イオン導出の際の電圧よりも高く設定して使用する電気的筋肉刺激を含む概念である。この電気的筋肉刺激の場合は小型電気器具を治療装置として利用する。
【００７９】
発熱ユニット２はヘッドケース９に対して以下の要領で組付ける。組付けに際しては、予めヘッド軸２１にサーミスタ５１とセンサーホルダー５２を装着し、ヘッド軸２１の基端部にＯリング６８を装着しておく。また、図６に示すように、シンクブロック２７の受熱台の上面にペルチェ素子１７を伝熱シート３５と共に組んだうえで、スペーサー１８をシンクブロック２７に組付けておく。次に、熱刺激ヘッド１５をヘッドケース９の内面側からヘッド開口４５に挿通して、肌接触面２５をヘッドケース９の上方に突出させる。さらに、ペルチェ素子１７やスペーサー１８をヒートシンク１６と共に組んで、スペーサー１８を熱刺激ヘッド１５の伝熱部２３に装着し、シンクブロック２７の締結座２９をヘッドケース９のねじボス４６に接合して、ねじボス４６と係合凹部３４を係合する。この状態で、図１に示すように２個のビス（シンク締結ねじ）６９をねじボス４６にねじ込むことにより、発熱ユニット２をヘッドケース９と一体化できる。
【００８０】
上記のように、本体ケース１とヒートシンク１６で、熱刺激ヘッド１５、熱電変換素子１７、スペーサー１８の３者を固定保持すると、ヒートシンク１６をビス６９で本体ケース１に締結するだけで、前記３者１５・１７・１８を同時に、しかも確りと固定することができる。従って、発熱構造部の構成部品の全てをより簡単な構造で確りと締結固定することができ、その分だけ組付けの手間を省くことができる。
【００８１】
また、熱刺激を付与するのに必要不可欠な熱刺激ヘッド１５、ヒートシンク１６、熱電変換素子１７、およびスペーサー１８で発熱構造部を構成するので、従来の美容器具に比べて無駄な部品を省いて、発熱構造部の構造を簡素化しコンパクト化でき、これに伴い発熱構造部を備えた美容器具の小型化とコンパクト化を実現できる。さらに、熱電変換素子１７からヒートシンク１６に伝導した熱を、ビス６９を介して本体ケース１に伝導し、本体ケース１の表面において放熱することができるので、ヒートシンク１６による放熱効果を向上できる。
【００８２】
さらに、シンクブロック２７の締結座２９に設けた係合凹部３４をヘッドケース９のねじボス４６に係合して、ヒートシンク１６を前後左右に位置決めした状態で、ビス６９をねじボス４６にねじ込むので、ヒートシンク１６のねじボス４６に対する締結を的確に、しかも強固に行える。さらに、係合凹部３４をねじボス４６に係合する状態においては、縦リブ４７の突端が係合凹部３４に接当して寸法のばらつきを吸収するので、常に適正にヒートシンク１６をヘッドケース９に固定することができる。
【００８３】
ヘッドケース９に固定した状態の熱刺激ヘッド１５は、スペーサー１８およびヒートシンク１６で押圧されて、その張出壁２２がＯリング６８を介して組付座４４に押し付けられており、張出壁２２の周囲がヘッド筒壁４２の内面で受止められている。また、ペルチェ素子１７は、ヒートシンク１６の受熱台３１と熱刺激ヘッド１５の伝熱部２３で挟持固定されている。つまり、熱刺激ヘッド１５およびペルチェ素子１７は、ヘッドケース９と同ケースに締結したヒートシンク１６およびスペーサー１８で固定保持されている。最後に、２次電池１２や制御基板１３が組付けられた前ケース１０および後ケース１１の連結リブ５４をヘッドケース９の連結溝４９に係合して、図１０に示すように、４個のビス（ケース締結ねじ）７０をケースねじボス５５にねじ込むことにより本体部Ａの組立を完了できる。この状態のヒートシンク１６の放熱フィン２８の両側面は、傾動規制体６０のフィン受面６２で受止められている。そのため、放熱フィン２８が熱膨張し、あるは熱収縮するとき、放熱フィン２８の変形を、傾動規制体６０が圧縮変形しあるいは膨張変形して吸収できる。
【００８４】
図１２ないし図１４において刺激付与具Ｂは、ヘッドケース９の装着部５０（ヘッド筒壁４２）に着脱される連結部７５と、連結部７５の上部の周囲３個所に一体で設けたボールホルダー（擦り体ホルダー）７６と、ボールホルダー７６で回転自在に支持したプラスチック製のボール（擦り体）７７を備えている。連結部７５は、上端の連結端壁７８と、連結端壁７８の周囲から下向きに突設される３個の連結脚７９を一体で備えており、連結端壁７８の中央にヘッド軸２１を通すための軸通口８０が形成してある。周方向へ隣接する連結脚７９の間は開口になっているので、開口の分だけ刺激付与具Ｂを軽量化できる。刺激付与具Ｂをヘッド筒壁４２に装着した状態において、各連結脚７９はヘッド筒壁４２の頂部が丸められた筒壁部分に弾性変形した状態で係合する。連結部７５とボールホルダー（擦り体ホルダー）７６は本実施例ではプラスチック製であるが、金属製であってもよい。
【００８５】
ボールホルダー７６は、スリット８１で分割された周長の長い２個の保持筒壁８２と、周長の短い２個の保持筒壁８３で形成してあり、これら保持筒壁８２・８３の内面の上端に３対の抜止爪８４が形成してある。図１３に示すように、抜止爪８４はスリット８１に臨んで形成してある。各保持筒壁８２・８３の内面を通る仮想円の直径は、ボール７７の球直径より僅かに大きく、抜止爪８４の爪端を通る仮想円の直径は、ボール７７の球直径より僅かに小さく設定してある。これにより使用時におけるボール７７は、肌面に沿って回転しながら擦り刺激を付与することができる。なお、ボール７７は各保持筒壁８２・８３を拡開状に弾性変形させながら押込むことにより、ボールホルダー７６の内部に装着することができる。
【００８６】
刺激付与具Ｂは、肌接触面２５の表面を覆うシート状の含浸体Ｃを固定保持するための固定具を兼ねており、合計６個の周長の短い保持筒壁８３の下端と連結部７５の連結端壁７８の一部でヘッドケース９のヘッド筒壁４２やヘッド軸２１と協同して含浸体Ｃの周縁を挟持固定する（図１４参照）。含浸体Ｃを固定保持するのは、ボールホルダー７６だけで行ってもよければ、連結部７５だけで行ってもよい。要するに、刺激付与具Ｂで含浸体Ｃを固定できればよい。上記のように、ボール７７を３対の抜止爪８４で支持することにより、ボール７７下周面はボールホルダー７６の下面側に露出する。従って、刺激付与具Ｂを洗浄するとき、ボール７７の表面をくまなく洗浄できる。含浸体Ｃは、布、コットン（脱脂綿）、スポンジ、不織布等をシート状に形成したものである。このように、装着部５０に装着した刺激付与具Ｂの連結部７５または／および擦り体ホルダー７６で、肌電極６５の外面を覆う含浸体Ｃを押圧固定していると、含浸体Ｃを固定する固定具を別途用意する必要がなく肌電極６５周りの構成を簡素化できる。したがって、肌電極６５周りをコンパクト化でき、使い勝手を向上できる。本実施例では、刺激付与具Ｂとヘッドケース９および熱刺激ヘッド１５にて含浸体Ｃを挟持固定しているが、含浸体Ｃを刺激付与具Ｂとヘッドケース９だけで挟持固定することができ、あるいは含浸体Ｃを刺激付与具Ｂと熱刺激ヘッド１５だけで挟持固定することもできる。要するに含浸体Ｃは、刺激付与具Ｂと本体部Ａとの間で挟持固定されていればよい。
【００８７】
ボール７７を本体ケース１に対して上下フロート可能に支持するためにフロート構造を設けている。フロート構造は、各ボールホルダー７６の底に一体で設けた弾性変形可能な３個の受腕８７で構成してある。受腕８７は、先のスリット８１の下端壁に連続してボールホルダー７６の中央に向けた斜め下向きに連出される腕基部８８と、腕基部８８の下端からボールホルダー７６の中央に向けた斜め上向きに連出される支持腕部８９で形成してあり、ボールホルダー７６に装着したボール７７の下周面を支持腕部８９の先端で受止めることでボール７７を弾性支持している。腕基部８８と支持腕部８９をともに斜め方向に連出して、受腕８７の全長を稼いでいるので、塑性変形を起こしにくく、大きな押圧力を受けても弾性力（ばね力）を維持できる。このように、ボール７７の下周面を弾性変形可能な３個の受腕８７の自由端で弾性支持することにより、ボール７７を全方位に転動させることができるとともに、ボール７７と受腕８７とが点接触となることで転がり抵抗を減少させることができ、ボール７７を肌面上でスムースに回転させることができる。したがって、この実施例における受腕８７は、ボール７７を押上げ付勢するフロートばね（可撓体）９０を兼ねている。使用時におけるボール７７は、受腕８７で押上げられた待機位置と、受腕８７の付勢力に抗して押下げられたフロート位置との間で上下フロートできる。３個のボール７７のいずれも肌反力を受けると、ボール７７はフロートばね９０のばね力に抗してボールホルダー７６の底面側へ沈込み、擦り体７７の肌面に対するタッチ（接触感）をソフトで優しいものとすることができる。図１４に示されるように各ボールホルダー７６内で支持された各ボール７７は肌接触面２５と直交する向きにおいて或いは熱刺激ヘッド１５の軸方向と同一方向においてすべて同じ高さとなっている。受腕８７の材質については、各ボールホルダー７６がプラスチック製であるので、それに一体の受腕８７もプラスチック製である。ボールホルダー７６および受腕８７はステンレス材などの金属製であってもよい。
【００８８】
刺激付与具Ｂをヘッド筒壁４２に装着した状態を図１４に示す。この状態のボール７７の頂部を通る第１仮想平面Ｈ１は、熱刺激ヘッド１５の頂部、すなわち肌接触面２５の頂部を通るヘッド仮想平面Ｈより上側に位置させてある。また、ボール７７が肌反力を受けて、受腕８７を弾性変形させながらボールホルダー７６内へ最大限沈み込んだフロート位置においては、ボール７７の頂部を通る第２仮想平面Ｈ２が、肌接触面２５の頂部を通るヘッド仮想平面Ｈより下側に位置させてある。ボールホルダー７６とヘッドケース９の肩部４８との間には通水空間Ｓが確保してあり、同空間Ｓを設けることにより洗浄水の排出を容易化している。また、刺激付与具Ｂをヘッド筒壁４２に装着した状態では、図１３の仮想線（２点鎖線）に示すように、熱刺激ヘッド１５の周囲に３個（複数）の全方位に転動するボール７７が隣接する状態で配設される。またそのボール７７は、周方向の距離が均等になるように配設される。さらにそのボール７７は、径方向の距離が均等になるように配設される。このように、熱刺激ヘッド１５に隣接して全方位に転動するボール７７を設けていれば、機能ヘッド１５を肌に接触させた状態で移動させる際、移動抵抗が少なくなることで使用者は弱い力で熱刺激ヘッド１５を移動させることができる。さらにボール７７の頂部を通る第１仮想平面Ｈ１が、熱刺激ヘッド１５の頂部を通るヘッド仮想平面Ｈより上側に位置させてあれば、より一層移動が容易となる。特に、熱刺激ヘッド１５の周囲に複数のボール７７を周方向にすべて同じ高さで配設すれば、全方位の移動がさらに容易となるとともに、熱刺激ヘッド１５を肌面に対して不適切な傾動を伴うことなく当接できる。より好ましくは、熱刺激ヘッド１５の周囲に複数の転動するボール７７を周方向に均等に配設する。つまり、機能ヘッド１５に隣接して転動可能なボール７７を設けられており、ボール７７は、機能ヘッド１５の周囲を囲繞するように３個設けられている。また、各ボール７７は、各ボール７７を直線で繋いだとき正三角形を構成するように配設されている。具体的には、各ボール７７は、平面視、つまり機能ヘッド１５の肌接触面２５に向き合う側から視て各ボール７７を直線で繋いだとき正三角形を構成するように配設されている。また、転動するボール７７が弾性支持されてフロート可能となっていることにより、肌面に過度の負担を強いることがない。なお、ヘッド仮想平面Ｈがボール７７の頂部を通る第１仮想平面Ｈ１より下側にあって、ボール７７がボールホルダー７６に対してフロートしない構成であっても、ボール７７が押圧している肌面は凹み、ボール７７はその肌面に対して沈み込むので、熱刺激ヘッド１５の肌接触面２５は肌面に容易に接触できる。
【００８９】
肌接触面２５とボール７７の関係は、次のように設定してある。肌接触面２５の面積は、平面視における１個のボール７７の面積より大きく設定してあるが、平面視における３個のボール７７の合計面積は、肌接触面２５の面積より大きく設定してある。上突湾曲状に形成した肌接触面２１５の曲率が小さく設定してあるのに対し、ボール７７の曲率は大きく設定してある。こうした刺激付与具Ｂによれば、熱刺激ヘッド１５で肌面に強い擦り刺激を付与でき、ボール７７で肌面に対して局部的な弱い擦り刺激を付与できる。
【００９０】
以上のように構成した美容器具は、ヘッド筒壁４２に刺激付与具Ｂを装着した状態で、ヘッド軸２１の肌接触面２５とボール７７で顔肌（肌面）を同時に擦ることにより、肌面に物理的な刺激を付与できる。美容用液を含浸させた含浸体Ｃを肌接触面２５の表面に装着した状態で、第１電極６５および第２電極６６に微弱なパルス電流を供給して行うイオン導入モード、あるいはイオン導出モードで肌面に電気刺激を付与できる。また、ペルチェ素子１７で生成した温熱あるいは冷熱を熱刺激ヘッド１５に伝導して、肌面に熱刺激を付与する温熱刺激モード、あるいは冷熱刺激モードで肌面に刺激を付与できる。刺激付与具Ｂは、本体部Ａに対して着脱可能に設けられているので、擦り刺激を必要としない場合は、本体部Ａから刺激付与具Ｂを脱して分離させることで熱刺激ヘッド（機能ヘッド）１５単独での使用が可能である。これによって肌の部分的な手入れが容易となる。
【００９１】
イオン導入モードの場合には、電源ボタン４をオン操作したのち、イオン切換えボタン６をオン操作することにより、図２に向かって左側の表示灯６ａが点灯し、第１電極６５をマイナス極性、第２電極６６をプラス極性とした電圧が、制御回路から両電極６５・６６に印加される。この状態で、第２電極６６を含む把持ケース８を握り、第１電極６５を、美容用液を含浸させた含浸体Ｃを介して手入れしたい肌面にあてがうことにより、肌面に微弱な電流を供給でき、美容用液の保湿成分を肌に浸透させることができる。また、含浸体Ｃとボール７７を肌面にあてがって擦ることにより、イオン導入を行って美容用液の保湿成分を肌に浸透させながら、ボール７７による優しい擦り刺激を付与してマッサージ効果を発揮できる。なお、予め肌面に美容用液を塗布する場合は、含浸体Ｃを省いて、直接、第１電極６５を肌面に接触させてイオン導入を行うことができる。
【００９２】
イオン導出モードの場合には、電源ボタン４をオン操作したのち、イオン切換えボタン６を２回オン操作することにより、図２に向かって右側の表示灯６ｂが点灯し、第１電極６５をプラス極性、第２電極６６をマイナス極性とした電圧が、制御回路から両電極６５・６６に印加される。この状態で、第２電極６６を含む把持ケース８を握り、第１電極６５を、美容用液を含浸させた含浸体Ｃを介して手入れしたい肌面にあてがうことにより、肌面に微弱な電流を供給でき、含浸体Ｃに肌の微細な汚れを付着させることができる。また、含浸体Ｃとボール７７を肌面にあてがって擦ることにより、イオン導出を行って肌面の微細な汚れを落としながら、ボール７７による優しい擦り刺激を付与できる。このとき、ボール７７による優しい擦り刺激を付与しながら顔肌を伸長させて、微細な汚れの排出を促進することができる。また、ボール７７の擦り刺激によってマッサージ効果を発揮できる。
【００９３】
温熱刺激モードにおいては、電源ボタン４をオン操作したのち、熱切換えボタン５をオン操作することにより、図２に向かって左側の表示灯５ａが点灯し、ペルチェ素子１７で生成した温熱が熱刺激ヘッド１５に伝導される。このとき、ペルチェ素子１７で生成した冷熱は、シンクブロック２７へ伝導され、放熱フィン２８から放熱される。このように、熱刺激ヘッド１５をボール７７の温度より高い温度に加熱した状態で、熱刺激ヘッド１５の肌接触面２５とボール７７を肌面に同時にあてがって擦ることにより、肌面に温熱刺激と擦り刺激を同時に付与して、血行を促進することできる。温熱刺激モードにおいては、熱刺激ヘッド１５の肌接触面２５で強い擦り刺激を付与し、ボール７７で弱い擦り刺激が付与される。なお、冷熱を放熱する際の放熱フィン２８の収縮変形は、傾動規制体６０が膨張変形して吸収する。
【００９４】
冷熱刺激モードにおいては、電源ボタン４をオン操作したのち、熱切換えボタン５を２回オン操作することにより、図２に向かって右側の表示灯５ｂが点灯し、ペルチェ素子１７で生成した冷熱が熱刺激ヘッド１５に伝導される。また、ペルチェ素子１７で生成した温熱は、シンクブロック２７へ伝導され、放熱フィン２８から放熱される。このように、熱刺激ヘッド１５をボール７７の温度より低い温度に冷却した状態で、熱刺激ヘッド１５の肌接触面２５とボール７７を肌面に同時にあてがって擦ることにより、肌面に冷熱刺激と擦り刺激を同時に付与して、肌面を引締めることができる。冷熱刺激モードにおいては、熱刺激ヘッド１５の肌接触面２５で強い擦り刺激を付与し、ボール７７で弱い擦り刺激が付与される。なお、温熱を放熱する際の放熱フィン２８の膨張変形は、傾動規制体６０が収縮変形して吸収する。
【００９５】
上記の各刺激モードにおいては、ボール７７が待機位置とフロート位置との間で上下フロートして、ボール７７による擦り刺激が肌面に対して過剰に作用するのを防止できる。そのため、フロート構造を備えていない美容器具に比べて、ボール７７の肌面に対するタッチ（接触感）をさらにソフトで優しいものとすることができる。また、立体的な肌面の変化に追随してボール７７が上下フロートするので、ボール７７による擦り刺激を肌面に対して効果的に付与できる。また、熱電変換素子１７で生成した温熱はもちろん、熱電変換素子１７で生成した冷熱を熱刺激ヘッド１５で肌面に付与できるので、肌面に対する熱刺激を多様化して美容効果を向上できる。なお、イオン導出モードおよびイオン導入モードと、温熱刺激モードおよび冷熱刺激モードは、各モードを単独で作動させることができるが、相互に組み合わせを変更した状態で同時に駆動することができる。詳しくは、電源ボタン４がオン状態にあるとき、イオン切換えボタン６を１回押せばイオン導入モードとなり、イオン切換えボタン６を２回押せばイオン導出モードとなり、イオン切換えボタン６を３回押せば各電極６５・６６への電流供給がオフされる。また、電源ボタン４がオン状態にあるとき、熱切換えボタン５を１回押せば温熱刺激モードとなり、熱切換えボタン５を２回押せば冷熱刺激モードとなり、熱切換えボタン５を３回押せばペルチェ素子１７への電流供給がオフされる。以上により、イオン導出モードと、イオン導入モードと、温熱刺激モードと、冷熱刺激モードの各モードを単独で作動させることができる。また、イオン導入モード時に、温熱刺激モードと冷熱刺激モードのいずれか一方を同時に作動させることができ、同様にイオン導出モード時に、温熱刺激モードと冷熱刺激モードのいずれか一方を同時に作動させることができる。このように、美容器具は８種の作動パターンに切換えることができる。
【００９６】
本実施例においては、機能ヘッド１５は、肌面に温熱刺激または冷熱刺激を付与できる熱刺激ヘッド１５および肌面に電気刺激を付与できる電極ヘッド１５（肌電極６５）となっている複数機能型のヘッドであるが、さらに、ヘッド内にバイブレーターや圧電素子を設けて、肌面に音波振動や超音波振動を付与できる機能を追加した多機能な機能ヘッド１５であってもよい。逆に、上述した機能を単機能で搭載した簡易構造の機能ヘッド１５であってもよい。
【００９７】
上記構成の美容器具においては、肌面に擦り刺激を付与する刺激付与具Ｂが装着部５０に設けられていることにより、機能ヘッド１５の作用とは別に肌面に擦り刺激を付与できる。「刺激付与具Ｂが装着部５０に設けられている」とは、刺激付与具Ｂが装着部５０に分離不能に固定されている構成を含むものであるが、例えば、機能ヘッド１５または同ヘッド１５を支持するケース体（ヘッドケース９、把持ケース８など本体ケース１の一部）を装着部５０としてこれに刺激付与具Ｂを着脱可能に装着する構成であれば、刺激付与具Ｂを本体ケース１に対して安定した状態で連結できる。これは、他の部位に比べて剛性の高い熱刺激ヘッド１５、あるいは同ヘッド１５を支持するケース体に装着部５０を設けることにより、装着部５０の構造強度を強化し、同部５０に装着した刺激付与具Ｂを強固に支持できるからである。機能ヘッド１５が剛性の高い理由として、肌面に対して直接当てられて応力がかかる部位であるためその肉厚を厚くしている、或いは、機能向上のため金属製の材質を採用しているからである。必然的にそれを支持するケース体（本体ケース１の一部）も剛性が高い。また、上記の「機能ヘッド１５または同ヘッド１５を支持するケース体を装着部５０としてこれに刺激付与具Ｂを着脱可能に装着する構成」は、本実施例のように刺激付与具Ｂが完全に分離独立するもの以外に、刺激付与具Ｂの一部がヒンジを介して本体ケース１に取り付けられて、機能ヘッド１５に隣接する使用形態と、刺激付与具Ｂを前記使用形態から回動させて機能ヘッド１５から離間した位置にある不使用形態との間で状態を変更できるものであってもよい。後者の着脱構造であれば刺激付与具Ｂの紛失を確実に防止できる。
【００９８】
また、刺激付与具Ｂに擦り体７７が設けてあると、機能ヘッド１５と擦り体７７を肌面に同時に作用させた状態で擦り移動することにより、肌面に対して機能ヘッド１５の作用と擦り刺激を同時に付与できる。例えば、熱刺激ヘッド１５で肌面を温めながら擦り体７７で擦り刺激を付与する状態では、温熱刺激よって血行を促進しながら、肌面に物理的な刺激を付与できる。また、熱刺激ヘッド１５で肌面に冷熱を与えながら擦り体７７で擦り刺激を付与する状態では、冷熱刺激によって顔肌を引締めながら、肌面に物理的な刺激を付与できる。
【００９９】
また、連結部７５、および擦り体ホルダー７６と、同ホルダー７６で回転自在に支持した球状の擦り体７７で構成した刺激付与具Ｂによれば、擦り体７７が肌面に沿って回転することで擦り刺激を付与できる。従って、擦り体７７の肌面に対するタッチ（接触感）をソフトで優しいものとして、より繊細な擦り刺激を肌面に付与でき、外部刺激に敏感で繊細な肌面であっても優しくマッサージすることができる。
【０１００】
また、熱刺激ヘッド１５を擦り体７７の温度より高い温度に加熱した状態、あるいは熱刺激ヘッド１５を擦り体７７の温度より低い温度に冷却した状態で、熱刺激ヘッド１５と擦り体７７を肌面に同時に作用させて、肌面に熱刺激と擦り刺激を同時に付与すると、肌面の血行を促進しながら物理的な刺激を付与できる、あるいは、肌面を引締めながら物理的な刺激を付与できる。
【０１０１】
また、擦り体７７が擦り体ホルダー７６内に設けられたフロートばね９０でフロート可能に弾性支持してあると、弱いばね力で擦り体７７を弾性支持できるので、擦り体７７の肌面に対するタッチ（接触感）をさらにソフトで優しいものとすることができる。
【０１０２】
また、機能ヘッド１５と擦り体７７を肌面に同時に作用させた状態において、機能ヘッド１５で強い擦り刺激を付与し、擦り体７７で弱い擦り刺激を付与すると、肌面の部位の違いや肌状態の違いに応じて、機能ヘッド１５と擦り体７７を使い分けることにより、ユーザーの好みに応じた擦り刺激を肌面に付与できる。
【０１０３】
また、擦り体７７の頂部を通る第１仮想平面Ｈ１が、機能ヘッド１５の頂部を通るヘッド仮想平面Ｈより上側に位置させてあると、第１仮想平面Ｈ１とヘッド仮想平面Ｈが面一になった状態でのみ、機能ヘッド１５による作用と擦り体７７による擦り刺激を肌面に同時に作用させることができる。このとき、擦り体７７にはフロートばね９０のばね力が作用しているので、擦り体７７を肌面に確実に密着させて、擦り体７７が転動するときの擦り刺激を肌面に付与できる。また、機能ヘッド１５に隣接して全方位に転動するボール７７を設けていれば、別の効果として、使用者が機能ヘッド１５を肌に接触させた状態で肌面に沿って移動するのが容易となる。
【０１０４】
また、フロート位置において、擦り体７７の頂部を通る第２仮想平面Ｈ２が、機能ヘッド１５の頂部を通るヘッド仮想平面Ｈと同じかこれより下側に位置させてあると、擦り体７７が肌面に過剰に押付けられるのを防止して、擦り体７７の肌面に対するタッチをソフトで優しいものとして、より繊細な擦り刺激を肌面に付与できる。
【０１０５】
また、機能ヘッド１５の肌接触面２５の面積が、平面視における１個の擦り体７７の面積より大きく設定してあると、面積の大きな肌接触面２５で肌面に機能ヘッド１５による機能を作用させながら、面積の小さな擦り体７７で肌面に擦り刺激を与えることができる。こうした美容器具によれば、主として肌面に機能ヘッド１５による機能を作用させることができる。擦り体７７による擦り刺激は付随的となる。
【０１０６】
また、球体からなる複数の擦り体７７が擦り体ホルダー７６で回転自在に支持してあると、擦り体７７の肌面に対するタッチ（接触感）をソフトで優しいものとして、より繊細な擦り刺激を肌面に付与でき、外部刺激に敏感で繊細な肌面であっても優しくマッサージすることができる。
【０１０７】
また、平面視における１個の擦り体７７の面積は機能ヘッド１５の肌接触面２５の面積より小さいが、平面視における複数個の擦り体７７の合計面積が、機能ヘッド１５の肌接触面２５の面積より大きく設定してあると、機能ヘッド１５の作用と擦り刺激を肌面に同時に作用させる際に、主として肌面に擦り刺激を付与できる。同時に機能ヘッド１５による機能を作用させることができる。
【０１０８】
また、上突湾曲状に形成した機能ヘッド１５の肌接触面２５の曲率と、球体からなる擦り体７７の曲率を比較するとき、前者曲率が後者曲率より小さく設定され、後者曲率が前者曲率より大きく設定してあると、肌接触面２５と肌面の接触機会を、擦り体７７と肌面の接触機会より多くして、肌接触面２５による作用を肌面に対して的確に付与できる。
【０１０９】
また、擦り体７７を、擦り体ホルダー７６に一体で、かつ擦り体ホルダー７６の底に設けた複数の受腕８７で弾性支持していると、低コストで支持構造を構成することができる。
【０１１０】
また、擦り体ホルダー７６の底に設けた複数の受腕８７で擦り体７７を受止めて、擦り体７７の底面側の周面が擦り体ホルダー７６の底面側に露出させてあると、刺激付与具Ｂを洗浄するときの洗浄液の排出を円滑化できる。また、洗浄時には、擦り体７７の上周面、あるいは擦り体ホルダー７６の底面側から洗浄水を流し掛けながら洗浄できるので、擦り体７７の表面全体を余すところなく確実に洗浄できる。
【０１１１】
また、刺激付与具Ｂの連結部７５を装着部５０に装着した状態において、擦り体ホルダー７６の底面と本体ケース１との間に通水空間Ｓが確保してあると、擦り体７７および擦り体ホルダー７６から流れ落ちた洗浄水を、通水空間Ｓから確実に排水できる。また、洗浄後の擦り体７７および擦り体ホルダー７６の風通しを良くして乾燥を促進できる。
【０１１２】
また、刺激付与具Ｂの連結部７５が複数の連結脚７９で構成されて、周方向へ隣接する連結脚７９の間に通水開口が設けてあると、連結脚７９および装着部５０に沿って洗浄水を速やかに流下させて、洗浄水が連結脚７９や装着部５０の周辺部分に滞留するのを防止できる。
【０１１３】
また、装着部５０に装着した刺激付与具Ｂで、肌電極６５の外面を覆う含浸体Ｃを押圧固定していると、含浸体Ｃを固定する固定具を別途用意する必要がなく肌電極６５周りの構成を簡素化できる。したがって、肌電極６５周りをコンパクト化でき、使い勝手を向上できる。
【０１１４】
（実施例２）  図１５および図１６は、本発明に係る小型電気器具を美容器具に適用した実施例２を示す。そこでは、刺激付与具Ｂを連結筒壁４３に着脱して、連結筒壁４３が装着部５０を兼ねるようにした。この実施例における刺激付与具Ｂは、連結部７５と、連結部７５の上部の周囲３個所に設けたボールホルダー７６と、ボールホルダー７６で回転自在に支持したプラスチック製のボール７７で構成した。連結部７５は、部分筒壁からなる３個の連結脚７９で構成し、隣接する連結脚７９の間に隙間９３を設けて、連結脚７９の隣接端の上部にボールホルダー７６を設けるようにした。また、ボールホルダー７６は、スリット８１で分割された３個の保持筒壁８２で形成し、各保持筒壁８２の隣接部に臨んで抜止爪８４を設けた。さらに、熱刺激ヘッド１５のヘッド軸２１を丸軸状に形成して、肌接触面２５を部分球面状に形成した。実施例２のフロート構造は、実施例１のフロート構造と同じである。他の構成は先の実施例１と同じであるので、同じ部材に同じ符号を付してその説明を省略する。以下の実施例においても同じとする。
【０１１５】
（実施例３）  図１７および図１８は、本発明に係る小型電気器具を美容器具に適用した実施例３を示す。そこでは、実施例１と同様にヘッド筒壁４２が装着部５０を兼ねるようにした。刺激付与具Ｂは、ヘッド筒壁４２に装着される三角枠状の連結部７５と、３個のボールホルダー７６およびボール７７と、連結部７５とボールホルダー７６との間に設けたフロートばね（可撓体）９０で構成した。フロートばね９０は金属製の板ばねからなり、その基端が連結部７５の肉壁内に固定され、その先端がボールホルダー７６を構成する保持筒壁８２の肉壁内に固定してある。この実施例においては、フロートばね９０が上下に弾性変形することで、ボールホルダー７６がフロートばね９０とともにフロート傾動して、ボール７７を上下フロートさせる。ボールホルダー７６の下開口には、実施例１における受腕８７に換えてＹ字状の支持枠９４が設けてあり、この支持枠９４でボール７７を受止めている。実施例３のフロート構造は、連結部７５と、ボールホルダー７６と、これら両者の間に設けたフロートばね９０で構成してある。
【０１１６】
（実施例４）  図１９は、本発明に係る小型電気器具を美容器具に適用した実施例４を示す。そこでは、実施例３と同様に、ヘッド筒壁４２に装着される三角枠状の連結部７５と、３個のボールホルダー７６およびボール７７と、連結部７５とボールホルダー７６を繋ぐホルダー腕９５などで刺激付与具Ｂを構成した。また、ホルダー腕９５の中途部には、逆Ｕ字状のフロートばね（可撓体）９０を一体に設けた。この実施例においては、フロートばね９０が上下に弾性変形することで、ボールホルダー７６がフロートばね９０とともにフロート傾動して、ボール７７を上下フロートさせる。実施例４のフロート構造は、連結部７５と、ボールホルダー７６と、これら両者の間に設けたホルダー腕９５およびフロートばね９０で構成してある。連結部７５、ボールホルダー７６、フロートばね９０、およびホルダー腕９５は、プラスチック成型されて一体化してある。
【０１１７】
（実施例５）  図２０、および図２１は、本発明に係る小型電気器具を美容器具に適用した実施例５を示す。そこでは、連結筒壁４３に装着されるリング状の連結部７５と、連結部７５の周囲を囲むフロート枠９６と、フロート枠９６の左右に設けた２個のボールホルダー７６およびボール７７などで刺激付与具Ｂを構成した。フロート枠９６は、ハット形に形成した前後一対のフロート腕９７を備えており、フロート腕９７の側端間にボールホルダー７６が一体に設けてある。フロート腕９７の左右中央には傾動ボス９８が設けてあり、同ボス９８を連結筒壁４３に設けた前後一対のフロート軸９９で軸支することにより、フロート枠９６がフロート軸９９を中心にしてシーソー傾動（上下傾動）できるようにしている。
【０１１８】
左右のボールホルダー７６は、フロート枠９６を中立位置へ復帰付勢する左右一対のフロートばね９０で弾性支持されている。板ばねからなるフロートばね９０の基端は、連結部７５の肉壁内に固定され、先端分は支持枠９４の下面に接当している。この実施例においては、フロート枠９６がシーソー傾動するとき、フロートばね９０が上下に弾性変形することで、ボールホルダー７６がフロートばね９０とともにフロート傾動して、ボール７７を上下フロートさせる。また、片方のボール７７が肌反力を受けて下向きにフロート傾動するとき、残るボール７７は先のボール７７とは逆に上向きにフロート傾動する。実施例５のフロート構造は、連結部７５と、ボールホルダー７６と、これら両者の間に設けたフロート枠９６と、フロートばね９０などで構成してある。フロートばね９０は捩じりコイルばねで形成することができ、その場合には、傾動ボス９８とフロート軸９９にフロートばね９０を配置して、フロート枠９６を中立位置へ復帰付勢することができる。
【０１１９】
（実施例６）  図２２、および図２３は、本発明に係る小型電気器具を美容器具に適用した実施例６を示す。そこでは、ヘッド筒壁４２に装着されるリング状の連結部７５と、連結部７５の周囲を囲むリング状のフロート枠９６と、フロート枠９６の周囲３個所に設けた３個のボールホルダー７６およびボール７７などで刺激付与具Ｂを構成した。フロート構造は、先のフロート枠９６と、連結部７５とフロート枠９６との間に配置されて、フロート枠９６を中立状態へ復帰付勢する６個のフロートばね９０と、連結部７５の周囲に張出し形成した枠支持壁１０１などで構成する。フロートばね９０は圧縮コイルばねからなり、その上端が連結部７５の上部に固定したばね受リング１０２で受止められ、その下端はフロート枠９６の内面下部に張出したリング状のフロート座１０３で受止めてある。フロート枠９６はホルダー腕９５を介してボールホルダー７６と繋がっており、これら３者は一体に成形してある。
【０１２０】
３個のボール７７のうちのひとつが肌反力を受けて下向きに傾動すると、フロート枠９６の全体が傾動して、傾動したボール７７と対向する側のフロートばね９０がフロート座１０３で圧縮変形される。このときのフロート枠９６は、傾動したボール７７に最も近い位置にある枠支持壁１０１の周縁を傾動支点にして傾動する。肌反力が解放されると、圧縮変形されていたフロートばね９０のばね力によって、フロート枠９６は図２３に示す中立位置へ戻され、浮き離れていたフロート座１０３が再び枠支持壁１０１で支持される。この実施例においては、ひとつ、または二つのボール７７が肌反力を受けて下向きにフロート傾動するとき、残るボール７７は先のボール７７とは逆に上向きにフロート傾動する。しかし、フロート枠９６が傾動するときの支点位置は一様ではないので、ボール７７の傾動軌跡は複雑に変化する。
【０１２１】
（実施例７）  図２４は、本発明に係る小型電気器具を美容器具に適用した実施例７を示す。そこでは、ヒートシンク１６を含む発熱ユニット２の全体をヘッドケース９に収容し、ヘッドケース９の全体を把持ケース８で上下フロートかつ傾動可能に支持して、ヘッドフロートばね１０６で押上げ付勢した。詳しくは、ヘッドケース９の下部に首振軸１０７とフロート座１０３を設け、前後ケース１０・１１に設けたフロート区画１０８内に、ヘッドフロートばね１０６とフロート座１０３を収容した。フロート区画１０８の上壁には、首振軸１０７つまりヘッドケース９の全方位方向への傾動を許す傾動窓１０９が開口してある。刺激付与具Ｂは、ヘッド筒壁４２に装着されるリング状の連結部７５と、連結部７５の周囲３個所から連出されるホルダー腕９５と、ホルダー腕９５の先端に設けたボールホルダー７６およびボール７７などで構成してある。ボール７７はボールホルダー７６で上下フロート可能に支持されて、同ホルダー７６に収容したフロートばね９０で押上げ付勢してある。
【０１２２】
３個のボール７７のうちのひとつが肌反力を受けると、ボール７７はフロートばね９０のばね力に抗してボールホルダー７６の底面側へ沈込む。このとき、ヘッドケース９には傾動モーメントが作用するため、発熱ユニット２およびヘッドケース９は、ヘッドフロートばね１０６のばね力に抗しながら、ボール７７の沈込み方向と同じ方向へ傾動する。つまり、ボール７７の上下フロート動作に連動して、発熱ユニット２およびヘッドケース９が上下傾動して、肌面に擦り刺激を付与する。肌反力が解放されると、ボール７７はフロートばね９０のばね力で押上げ操作される。同時に、圧縮変形されていたヘッドフロートばね１０６のばね力によって、ヘッドケース９が図２４に示す中立位置へ戻されて、フロート座１０３の上面がフロート区画１０８の上壁で受止められる。以上のように、ヘッドケース９の全体を把持ケース８で上下フロートかつ傾動可能に支持する美容器具によれば、ボール７７を支持するばね９０と、ヘッドケース９を支持するばね１０６が弾性変形することで、肌面に対する刺激をさらに緩和できる。
【０１２３】
（実施例８）  図２５および図２６は、本発明に係る小型電気器具を美容器具に適用した実施例８を示す。そこでは、刺激付与具Ｂをヘッド筒壁４２から突出する機能ヘッド１５のヘッド軸２１の周囲面に着脱して、機能ヘッド１５が装着部５０を兼ねるようにした。この実施例における刺激付与具Ｂは、ヘッド軸２１に装着される三角枠状の連結部７５と、連結部７５の周囲３個所に設けたボールホルダー７６、およびボール７７などで構成した。さらに、肌接触面２５の中央にフロート穴１１２を設け、その内部にボールホルダー（擦り体ホルダー）１１３とボール（擦り体）１１４を収容した。この場合、フロート穴１１２が装着部５０であり、ボールホルダー（擦り体ホルダー）１１３が連結部７５となっている。ボール１１４を上下フロート可能に支持するために、ボールホルダー１１３の底に弾性変形可能な３個の受腕１１５を設けている。受腕１１５は、実施例１で説明した受腕８７と同様の、腕基部１１６と支持腕部１１７を備えていて、フロートばね１１８を兼ねている。ヘッド軸２１に設けたボール１１４の直径は、ボール７７の直径より小さい。この実施例における刺激付与具Ｂは、ボールホルダー７６およびボール７７と、ボールホルダー１１３およびボール１１４を含む概念である。ボールホルダー１１３およびボール１１４を含む刺激付与具Ｂは機能ヘッド１５、つまり本体部Ａに対して着脱不能に設けられている。このように、刺激付与具Ｂは必ずしも本体部Ａに対して着脱可能に設けられていなくてもよい。
【０１２４】
刺激付与具Ｂのボール７７と熱刺激ヘッド１５の肌接触面２５を肌面に押し付けた状態では、肌接触面２５の中央に設けたボール１１４が、受腕１１５の弾性力に抗しながらボールホルダー１１３内へ沈込み、肌面に沿って回転しながらボール７７と協同して擦り刺激を付与する。このように、熱刺激ヘッド１５にボール１１４が配置してあると、肌接触面２５で肌面を擦って熱刺激を付与するのと同時に、熱刺激が付与された肌面にボール１１４で擦り刺激を付与できるので、熱刺激と擦り刺激の相乗効果によってさらに美容効果を向上できる。自由状態において、ボール７７・１１４の頂部を通る第１仮想平面Ｈ１は、肌接触面２５の頂部を通るヘッド仮想平面Ｈより上側に位置させてある。また、ボール７７・１１４が肌反力を受けてボールホルダー７６・１１３内へ最大限沈み込んだフロート位置においては、ボール７７・１１４の頂部を通る第２仮想平面Ｈ２が、肌接触面２５の頂部を通るヘッド仮想平面Ｈより下側に位置させてある。
【０１２５】
（実施例９）  図２７よび図２８は、本発明に係る小型電気器具を美容器具に適用した実施例９を示す。そこでは、刺激付与具Ｂをヘッドケース９と一体化して、熱刺激ヘッド１５で肌面に電気刺激や熱刺激を付与するのと同時に、刺激付与具Ｂのボール７７で擦り刺激を付与できるようにした。詳しくは、ヘッド筒壁４２の周囲３個所にボールホルダー７６を一体に形成し、その内部にボール７７とフロートばね９０を収容した。
【０１２６】
実施例９に係る美容器具は、以下の形態で実施できる。
熱刺激機能を備えた本体部Ａと、肌面に擦り刺激を付与する刺激付与具Ｂとを備えており、
本体部Ａは、本体ケース１と、本体ケース１のヘッドケース９に設けられて冷熱または温熱を肌面に付与する発熱ユニット２を備えており、
発熱ユニット２は、ヘッドケース９の外面に露出されて冷熱または温熱を肌面に作用させる熱刺激ヘッド１５と、本体ケース１の内部に収容されるヒートシンク１６と、熱刺激ヘッド１５とヒートシンク１６との間に配置される熱電変換素子１７を含み、
熱刺激ヘッド１５の周囲の少なくとも１個所に、擦り体７７と擦り体７７を支持する擦り体ホルダー７６が配置されており、
擦り体ホルダー７６が、ヘッドケース９と一体に設けてある美容器具。
【０１２７】
（実施例１０）  図２９よび図３０は、本発明に係る小型電気器具を美容器具に適用した実施例１０を示す。そこでは、イオン導出とイオン導入などの電気刺激機能を発揮する本体部Ａと、肌面に擦り刺激を付与する刺激付与具Ｂとを備えている。本体部Ａは、グリップを兼ねる本体ケース１２１と、本体ケース１２１の前面に配置した含浸体Ｃを固定する固定具１２２と、本体ケース１２１の前面上部に設けられて電気刺激を付与する電極ヘッド１２３（肌電極１３０）などで構成している。本体ケース１の後面には、電源ボタン１２４とイオン切換えボタン１２６が設けてあり、本体ケース１の左右両側にはグリップ電極１３１が設けてある。本実施例では、電極ヘッド１２３（肌電極１３０）が機能ヘッド１５となっている。
【０１２８】
側面視における本体ケース１は前突湾曲状に形成されており、その内部に２次電池１２５と、表示灯１２７と、バイブレーター１２８などが設けてある。イオン導出およびイオン導入の美容処理を行うために、本体ケース１２１に電気刺激構造を設けている。電気刺激構造は、手入れされる肌面に電流を供給する電極ヘッド１２３（肌電極１３０）と、本体ケース１２１の側面に設けたグリップ電極１３１と、これらの電極１３０・１３１に微弱なパルス電流を供給する制御回路などで構成する。
【０１２９】
制御回路は、２次電池１２５の前側に配置した制御基板（図示していない）に実装してあり、電極ヘッド１２３（肌電極１３０）とグリップ電極１３１のいずれか一方をプラス極性にし、他方をマイナス極性にしてパルス電流を供給する。バイブレーター１２８は、電極ヘッド１２３（肌電極１３０）の内部後方に配置してあり、電気刺激を付与する際に肌面に振動を作用させて、肌面をほぐすことができる。電極ヘッド１２３（肌電極１３０）は導電性に優れた金属板材を断面台形状にプレス加工して形成してあり、その開口周縁壁が本体ケース１２１の前壁に固定してある。肌刺激ヘッド１２３の突端面には、前突湾曲状の肌接触面１３２が形成してある。具体的には、電極ヘッド１２３はチタン製の板材をプレス加工して断面台形のカップ状に形成している。
【０１３０】
固定具１２２は、電極ヘッド１２３の外面に被せ付けた含浸体Ｃを押え保持するために設けてあり、本体ケース１２１の前面に被さるアーム部１３４を有している。アーム部１３４は、前方に向けて湾曲した板状の前壁１５４と、前壁１５４の周囲の縁から後方に向けて突出した左側壁１５５および右側壁１５６と、前壁１５４の周囲の縁から後方に向けて突出し、かつ左右側壁１５５・１５６の上端を繋ぐように連結した上側壁１５７とを含んで構成される。前壁１５４の上部には、含浸体Ｃを押え保持する円形の押え窓１３５が設けてある。また、押え窓１３５の本体ケース１２１との対向縁には、挟持リング（挟持体）１３６が設けてある。アーム部１３４は、本体ケース１２１の湾曲形状に沿って前突湾曲状に形成してあり、その左右側壁１５５・１５６の下端が本体ケース１２１に対して回動軸１３７で前後回動可能に連結してある。これにより、固定具１２２は、電極ヘッド１２３および本体ケース１２１と協同して含浸体Ｃを挟持する使用姿勢と、図２９に想像線で示すように、押え窓１３５が電極ヘッド１２３から離脱する開放姿勢とに姿勢変更できる。使用姿勢の際、固定具１２２は、上記左右側壁１５６・１５６の回動軸１３７に近い側の内面に設けた突起１６０が、本体ケース１２１の同じく回動軸１３７に近い側の側面に設けた突起１６１を乗り越えて係合することで、使用姿勢を保持できるようになっている。使用姿勢では、押え窓１３５が電極ヘッド１２３の周囲を囲む位置に保持されているが、このとき、後述するボール（擦り体）１４１も電極ヘッド１２３の周囲を囲むところに位置している。
【０１３１】
刺激付与具Ｂは、図３０に示すように、押え窓１３５の周囲６個所に設けたボールホルダー（擦り体ホルダー）１４０と、ボールホルダー１４０で全方位に回転自在に支持したプラスチック製のボール（擦り体）１４１と、ボール１４１を前向きに弾性付勢するフロートばね１４２を備えている。ボールホルダー１４０は先のアーム部１３４と一体に形成してあり、その前開口の内面に抜止爪１４３が形成してある。フロートばね１４２は圧縮コイル形のばねからなる。フロートばね１４２でボールホルダー１４０の前開口から突出する向きに弾性付勢されたボール１４１は、球面の一部がボールホルダー１４０の前面から露出する待機位置と、フロートばね１４２の付勢力に抗してボールホルダー１４０内へ沈込むフロート位置との間で前後にフロート変位できる。図２９に示されるように各ボールホルダー１４０内で支持された各ボール１４１は肌接触面１３２と直交する向きにおいて或いは電極ヘッド１２３の軸方向と同一方向においてすべて同じ高さとなっている。電極ヘッド１２３の周囲に複数のボール１４１を周方向に配設すれば、全方位の移動および擦り刺激が容易になるとともに、電極ヘッド１２３を肌面に対して不適切な傾動を伴うことなく当接できる。より好ましくは、電極ヘッド１２３の周囲に複数の全方位に転動するボール１４１を周方向に均等に配設する。つまり、電極ヘッド１２３に隣接して全方位に転動可能なボール１４１が設けられており、ボール１４１は、電極ヘッド１２３の周囲を囲繞するように６個設けられている。また、各ボール１４１は、各ボール１４１を直線で繋いだとき正六角形を構成するように配設されている。具体的には、各ボール１４１は、平面視、つまり電極ヘッド１２３の肌接触面１３２に向き合う側から視て各ボール１４１を直線で繋いだとき正六角形を構成するように配設されている。
【０１３２】
刺激付与具Ｂはアーム部１３４（固定具１２２）を含んで構成されている。電極ヘッド１２３に対して刺激付与具Ｂを回動不能にロックさせている部分は、上述の両突起１６０・１６１であり、この両突起１６０・１６１は、電極ヘッド１２３から遠く離れた部分にある。すなわち、刺激付与具Ｂを実際に位置保持している部分は電極ヘッド１２３から離れているが、電極ヘッド１２３の周囲にボールホルダー１４０やボール１４１、つまり刺激付与具Ｂが位置していれば、装着部５０は、その電極ヘッド１２３あるいはそれを支持する本体ケース１の一部となる。一方、含浸体Ｃを電極ヘッド１２３に装着していない状態における使用姿勢のとき、たとえ電極ヘッド１２３および本体ケース１２１と上側壁１５７および挟持リング（挟持体）１３６との間に間隔があったとしても、装着部５０に正対する部分が連結部７５となる。本実施例では、本体ケース１２１の上部周面が装着部５０であり、アーム部１３４における押え窓１３５、上側壁１５７および左右側壁１５５・１５６の上部が連結部７５である。
【０１３３】
以上のように構成した美容器具は、以下のように使用する。まず、化粧水などの美容用液を含浸させた含浸体Ｃを、電極ヘッド１２３の肌接触面１３２に被せ付け、固定具１２２を使用姿勢にして、含浸体Ｃの周縁部分を挟持リング１３６と本体ケース１２１で挟持固定する。この状態で電源ボタン１２４とイオン切換えボタン１２６をオン操作し、肌電極１３０およびグリップ電極１３１に微弱なパルス電流を供給し、肌面に電気刺激と刺激付与具Ｂによる擦り刺激を付与する。刺激付与具Ｂは、固定具１２２を含んで構成されており、刺激付与具Ｂを装着部５０に装着した状態、つまり使用姿勢の状態において、電極ヘッド１２３（肌電極１３０）の外面を覆う含浸体Ｃの周囲を挟持する固定具を兼ねている。
【０１３４】
電気刺激には、イオン導入モードとイオン導出モードがあり、イオン導入モードの場合には、電源ボタン１２４をオン操作したのち、イオン切換えボタン１２６をオン操作することにより、電極ヘッド１２３（肌電極１３０）をマイナス極性、グリップ電極１３１をプラス極性とした電圧が、制御回路から両電極１３０・１３１に印加される。この状態で、含浸体Ｃとボール１４１を肌面にあてがって擦ることにより、イオン導入を行って美容用液の保湿成分を肌に浸透させることができる。イオン導入時には、ボール１４１による優しい擦り刺激を付与して、マッサージ効果を発揮できる。また、電極ヘッド１２３に隣接して転動するボール１４１を設けていれば、さらなる効果として、使用者が電極ヘッド１２３を肌に接触させた状態で肌面に沿って移動するのが容易となる。
【０１３５】
イオン導出モードの場合には、電源ボタン１２４をオン操作したのち、イオン切換えボタン１２６を２回オン操作することにより、電極ヘッド１２３（肌電極１３０）をプラス極性、グリップ電極１３１をマイナス極性とした電圧が、制御回路から両電極１３０・１３１に印加される。この状態で、含浸体Ｃとボール１４１を肌面にあてがって擦ることにより、イオン導出を行って肌の微細な汚れを落とすことができる。イオン導出時にはボール１４１による優しい擦り刺激を付与しながら顔肌を伸長させて、微細な汚れの排出を促進することができる。また、ボール１４１の擦り刺激によってマッサージ効果を発揮できる。また、電極ヘッド１２３に隣接して転動するボール１４１を設けていれば、さらなる効果として、使用者が電極ヘッド１２３を肌に接触させた状態で肌面に沿って移動するのが容易となる。
【０１３６】
上記実施例では、肌電極６５・１３０がイオン導入またはイオン導出を行う美容器具を例としていたが、肌電極６５・１３０がイオン導入、イオン導出以外に、イオン導入、イオン導出の際の電圧よりも高く設定して電気的な治療を行う治療装置としたものであってもよい。
【０１３７】
上記実施例に係る小型電気器具は、以下の形態で実施できる。
【０１３８】
肌面に電流を供給する肌電極６５・１３０に隣接して全方位に転動可能なボール７７・１１４・１４１を設けている小型電気器具。
肌面に電流を供給する肌電極６５・１３０に隣接して全方位に回転自在に支持されたボール７７・１１４・１４１を設けている小型電気器具。
これにより、肌面に対して電気刺激を付与しながら擦り刺激を付与できる。また、肌面に対する肌電極６５・１３０の移動がボール７７・１１４・１４１によって容易となる。
【０１３９】
ボール７７・１１４・１４１は、肌電極６５・１３０の周囲を囲繞するように複数個設けられている小型電気器具。
ボール７７・１１４・１４１は、肌電極６５・１３０の周囲を囲繞するように複数個回転自在に支持されている小型電気器具。
これにより、肌面に対して電気刺激を付与しながら擦り刺激を付与できる。また、肌面に対する肌電極６５・１３０の全方位への移動がボール７７・１１４・１４１によって容易となる。
【０１４０】
ボール７７・１４１は、肌電極６５・１３０の周囲を囲繞するように複数個設けられており、
各ボール７７・１４１は、各ボール７７・１４１を直線で繋いだとき正三角形、正四角形（正方形）、正五角形、正六角形などの正多角形を構成するように配設されている小型電気器具。
ボール７７・１１４・１４１は、肌電極６５・１３０の周囲を囲繞するように複数個回転自在に支持されており、
各ボール７７・１４１は、各ボール７７・１４１を直線で繋いだとき正三角形、正四角形（正方形）、正五角形、正六角形などの正多角形を構成するように配設されている小型電気器具。
これにより、肌面に対して電気刺激を付与しながら擦り刺激を付与できる。また、肌面に対する肌電極６５・１３０の全方位への移動がボール７７・１１４・１４１によってさらに容易となるとともに、肌電極６５・１３０を肌面に対して不適切な傾動を伴うことなく接触できる。
【０１４１】
ボール７７・１４１は、肌電極６５・１３０の周囲を囲繞するように複数個設けられており、
各ボール７７・１４１はすべて同じ高さ位置となるように支持されており、
肌電極６５・１３０は、肌面に接触する肌接触面２５・１３２を含み、
各ボール７７・１４１は、肌電極６５・１３０の肌接触面２５・１３２に向き合う側から視て各ボール７７・１４１を直線で繋いだとき正多角形を構成するように配設されている小型電気器具。
ボール７７・１４１は、肌電極６５・１３０の周囲を囲繞するように複数個設けられており、
各ボール７７・１４１はすべて同じ高さ位置となるように回動自在に支持されており、
肌電極６５・１３０は、肌面に接触する肌接触面２５・１３２を含み、
各ボール７７・１４１は、肌電極６５・１３０の肌接触面２５・１３２に向き合う側から視て各ボール７７・１４１を直線で繋いだとき正多角形を構成するように配設されている小型電気器具。
これにより、肌面に対して電気刺激を付与しながら擦り刺激を付与できる。また、肌面に対する肌電極６５・１３０の全方位への移動がボール７７・１１４・１４１によってさらに容易となるとともに、より効果的に肌電極６５・１３０を肌面に対して不適切な傾動を伴うことなく接触できる。
【０１４２】
肌電極６５・１３０の周囲を囲繞するように複数個のボールホルダー７６・１４０が設けられており、
各ボールホルダー７６・１４０のそれぞれに、複数個のボール７７・１４１が全方位に回転自在に支持されており、
各ボール７７・１４１は、肌電極６５・１３０の周囲を囲繞し、かつすべて同じ高さ位置となるようにボールホルダー１４０の内部に配置したフロートばね９０・１４２で、ボールホルダー７６・１４０から突出する向きに弾性付勢されており、
肌電極６５・１３０は、肌面に接触する肌接触面２５・１３２を含み、
各ボール７７・１４１は、肌電極６５・１３０の肌接触面２５・１３２に向き合う側から視て各ボール７７・１４１を直線で繋いだとき正多角形を構成するように配設されている小型電気器具。
これにより、肌面に対して電気刺激を付与しながら擦り刺激を付与できる。また、肌面に対する肌電極６５・１３０の全方位への移動がボール７７・１１４・１４１によってさらに容易となるとともに、より効果的に肌電極６５・１３０を肌面に対して不適切な傾動を伴うことなく接触できる。
【０１４３】
グリップ兼用の本体ケース１に肌面に電流を供給する肌電極６５・１３０を有しており、
肌電極６５・１３０または同電極６５・１３０を支持する本体ケース１に装着部５０が設けられており、
肌面に擦り刺激を付与する刺激付与具Ｂが、装着部５０に設けられており、
刺激付与具Ｂは、装着部５０に装着される連結部７５と、肌面に擦り刺激を付与するボール７７を備えて、肌電極６５・１３０とボール７７を肌面に同時に接触可能となっており、
装着部５０に装着した刺激付与具Ｂで、肌電極６５・１３０の外面を覆う含浸体Ｃを固定している小型電気器具。
これにより、肌面に対して電気刺激を付与しながら擦り刺激を付与できる。また、肌面に対する肌電極６５・１３０の全方位への移動がボール７７・１１４・１４１によって容易となる。装着部５０に装着した刺激付与具Ｂで、肌電極６５の外面を覆う含浸体Ｃを押圧固定していると、含浸体Ｃを固定する固定具を別途用意する必要がなく肌電極６５・１３０周りの構成を簡素化できる。したがって、肌電極６５・１３０周りをコンパクト化でき、使い勝手を向上できる。
【０１４４】
電気刺激機能を発揮する本体部Ａと、肌面に擦り刺激を付与する刺激付与具Ｂとを備えており、
本体部Ａは、本体ケース１と、本体ケース１２１に対して揺動軸１３７で連結されて揺動開閉する固定具１２２と、本体ケース１に設けられて肌面に電気刺激を付与する電気刺激構造および電極ヘッド１２３（肌電極１３０）を備えており、
固定具１２２には、電極ヘッド１２３（肌電極１３０）の外面に被さる含浸体Ｃを押え保持する押え窓１３５が設けられており、
刺激付与具Ｂは、電極ヘッド１２３（肌電極１３０）の周囲の少なくとも１個所に設けた擦り体（ボール）１４１と、擦り体（ボール）１４１を支持する擦り体ホルダー（ボールホルダー）１４０を含み、
擦り体ホルダー（ボールホルダー）１４０は固定具１２２と一体に設けられており、
電極ヘッド１２３（肌電極１３０）で肌面に電気刺激を付与するのに並行して、刺激付与具Ｂの擦り体１４１で肌面に擦り刺激を付与することを特徴とする小型電気器具。
これにより、肌面に対して電気刺激を付与しながら擦り刺激を付与できる。また、肌面に対する電極ヘッド１２３（肌電極１３０）の移動が擦り体（ボール）１４１によって容易となる。装着部５０に装着した刺激付与具Ｂで、電極ヘッド１２３（肌電極１３０）の外面を覆う含浸体Ｃを押圧固定していると、含浸体Ｃを固定する固定具を別途用意する必要がなく電極ヘッド１２３（肌電極１３０）周りの構成を簡素化できる。したがって、電極ヘッド１２３（肌電極１３０）周りをコンパクト化でき、使い勝手を向上できる。
【０１４５】
電極ヘッド１２３（肌電極１３０）の周囲の複数個所にボールホルダー１４０が等間隔おきに配置されており、
擦り体がボール１４１で形成されて、ボールホルダー１４０で全方位に回転自在に支持されており、
ボール１４１が、ボールホルダー１４０の内部に配置したフロートばね１４２で、ボールホルダー１４０から突出する向きに弾性付勢されている小型電気器具。
これにより、肌面に対して電気刺激を付与しながら擦り刺激を付与できる。また、肌面に対する電極ヘッド１２３（肌電極１３０）の移動がボール１４１によって容易となる。装着部５０に装着した刺激付与具Ｂで、電極ヘッド１２３（肌電極１３０）の外面を覆う含浸体Ｃを押圧固定していると、含浸体Ｃを固定する固定具を別途用意する必要がなく電極ヘッド１２３（肌電極１３０）周りの構成を簡素化できる。したがって、電極ヘッド１２３（肌電極１３０）周りをコンパクト化でき、使い勝手を向上できる。また、ボール１４１が、フロートばね１４２で、ボールホルダー１４０から突出する向きに弾性付勢されてフロート可能となっていることにより、ボール１４１の肌面に対するタッチ（接触感）をソフトで優しいものとして、より繊細な擦り刺激を肌面に付与でき、外部刺激に敏感で繊細な肌面であっても優しくマッサージすることができる。
【０１４６】
電気刺激構造は、肌面に電気刺激を付与する肌電極１３０と、本体ケース１２１の側面に設けたグリップ電極１３１と、これらの電極１３０・１３１に微弱なパルス電流を供給する制御回路を備えており、
電気刺激構造は、肌電極１３０とグリップ電極１３１のいずれか一方をプラス極性にし、他方をマイナス極性にしてパルス電流を供給することにより、イオン導入モードあるいはイオン導出モードで肌面に刺激を付与できる小型電気器具。
これにより、肌面に微弱な電流を供給して美容用液の保湿成分を肌に浸透させることができ、或いは肌の汚れを肌表面に移動させて含浸体Ｃに付着させることができる。
【０１４７】
上記の実施例においては、擦り体７７・１１４・１４１が球状のボールである場合について説明したが、その必要はなく、擦り体７７・１４１は上面が半球状に丸められた回転不可能な軸体で形成してあってもよい。したがって、請求項における「球状の擦り体７７」とは、全方位に回転自在に支持されるボール７７・１１４・１４１だけを意味するものではなく、肌との接触面が半球状の回転しない擦り体を含む概念である。また、「回転自在に支持した少なくとも１個の球状の擦り体７７」とは、全方位に回転自在に支持された球状のボールだけを意味するのではなく、肌接触面が半球状となるように丸められた軸体が、その軸体の軸まわりに回転自在に擦り体ホルダーに支持された構造であってもよい。その軸体が軸方向にフロートばね９０でフロートする構成であればより肌面に対するタッチ（接触感）をソフトで優しいものとして、より繊細な擦り刺激を肌面に付与できる。請求項における「球体」は球状のボールを意味する。また、擦り体７７・１４１は、機能ヘッド１５・１２３の周囲に設けた回転軸まわりに回転するローラーであってもよい。ローラーが複数ある場合は、機能ヘッド１５・１２３の周囲を囲繞するように、しかも同じ高さ位置となるように設けるが、その場合、回転軸の方向は、機能ヘッド１５・１２３を中心として放射状となる仮想線に直交する向きとする。機能ヘッド１５・１２３は、本体ケース１・１２１の上端に設ける必要はなく、本体ケース１・１２１の中央周面に突設してあってもよい。また、機能ヘッド１５・１２３は、可動部を有しない固定構造に限らず、機能ヘッド１５・１２３自身が、軸まわりに回転するローラーまたは全方位に転動するボールであってもよい。この場合、ローラーまたはボール自身が、温熱ローラー、温熱ボール、冷熱ローラー、冷熱ボール、電流刺激ローラー、電流刺激ボール、振動ローラー、振動ボールなどの機能性のある機能ヘッド１５となる。また、機能ヘッド１５・１２３自身が、回転するローラーまたは転動するボールであれば、この機能ヘッド１５・１２３とボールからなる擦り体７７・１４１は、共に略同一の優しい擦り刺激を肌面に付与できる。
【０１４８】
機能ヘッド１５・１２３と同時に擦り刺激を付与できれば、刺激付与具Ｂは、本体部Ａに対して着脱可能に設けられていなくてもよい。本体ケース１・１２１または／および機能ヘッド１５・１２３に直接ボールホルダー（擦り体ホルダー）７６・１４０を形成し、その部位にボール（擦り体）７７・１４１を配設した着脱不能な構成であってもよい。また、１個の本体ケース１・１２１であれば刺激付与具Ｂは、機能ヘッド１５・１２３と同時に擦り刺激を付与できない構成であってもよい。すなわち機能ヘッド１５・１２３が突出する面とは反対側の面の本体ケース１・１２１に装着部５０を形成してこれに刺激付与具Ｂを着脱可能に装着することができる。つまり、機能ヘッド１５・１２３が突出する側とは反対側にボールホルダー（擦り体ホルダー）７６・１４０やボール（擦り体）７７・１４１が突出する形態とすることで、本体ケース１・１２１を反転させながら肌面の手入れを行わせることができる。この構成においても刺激付与具Ｂを本体ケース１・１２１に対して着脱可能にする必要はなく、本体ケース１・１２１に一体でボールホルダー（擦り体ホルダー）７６・１４０を形成し、その部位にボール（擦り体）７７・１４１を配設した構成であってもよい。また、擦り体７７・１４１は、機能ヘッド１５・１２３に隣接して複数設ける必要はなく、１個だけ設けたものであってもよい。
【符号の説明】
【０１４９】
Ａ    本体部
１  本体ケース
２  発熱ユニット
９  ヘッドケース
１５  熱刺激ヘッド
１６  ヒートシンク
１７  電熱変換素子（ペルチェ素子）
２１  ヘッド軸
２２  張出壁
２５  肌接触面
４４  組付座
４６  ねじボス
５０  装着部
６５  第１電極（肌電極）
６６  第２電極
６９  シンク締結ねじ（ビス）
Ｂ  刺激付与具
７５  連結部
７６  擦り体ホルダー（ボールホルダー）
７７  擦り体（ボール）
９０  フロートばね
Ｃ  含浸体
【図１】
2018183634.tif 000003
【図２】
2018183634.tif 000004
【図３】
2018183634.tif 000005
【図４】
2018183634.tif 000006
【図５】
2018183634.tif 000007
【図６】
2018183634.tif 000008
【図７】
2018183634.tif 000009
【図８】
2018183634.tif 000010
【図９】
2018183634.tif 000011
【図１０】
2018183634.tif 000012
【図１１】
2018183634.tif 000013
【図１２】
2018183634.tif 000014
【図１３】
2018183634.tif 000015
【図１４】
2018183634.tif 000016
【図１５】
2018183634.tif 000017
【図１６】
2018183634.tif 000018
【図１７】
2018183634.tif 000019
【図１８】
2018183634.tif 000020
【図１９】
2018183634.tif 000021
【図２０】
2018183634.tif 000022
【図２１】
2018183634.tif 000023
【図２２】
2018183634.tif 000024
【図２３】
2018183634.tif 000025
【図２４】
2018183634.tif 000026
【図２５】
2018183634.tif 000027
【図２６】
2018183634.tif 000028
【図２７】
2018183634.tif 000029
【図２８】
2018183634.tif 000030
【図２９】
2018183634.tif 000031
【図３０】
2018183634.tif 000032